(57)【要約】  （ａ）ＦＴ４パウダーレオメータの使用により決定された以下のパラメータ（ｉ）〜（ｖｉｉｉ）、    （ｉ）特定基本流動エネルギー（ｓＢＦＥ）が最大で６０ｍＪ／ｇ、    （ｉｉ）安定性指標（ＳＩ）が０．７５〜１．２５、    （ｉｉｉ）比エネルギー（ＳＥ）が最大で１０ｍＪ／ｇ、    （ｉｖ）１５ｋＰａでの最大原理応力（ＭＰＳ−１５）が最大で４０、    （ｖ）１５ｋＰａでの流れ関数（ＦＦ−１５）が少なくとも１．３、    （ｖｉ）１５ｋＰａでの圧縮後のかさ密度（ＣＢＤ−１５）が少なくとも０．２６ｇ／ｍＬ、    （ｖｉｉ）圧縮率が最大で４７％、及び    （ｖｉｉｉ）壁摩擦角（ＷＦＡ）が最大で４０°、のうちの少なくとも５つに適合する未希釈医薬品有効成分（ＡＰＩ）を用意する工程と、  （ｂ）工程（ａ）の未希釈ＡＰＩを真空アシスト式測定及び充填デバイスを使用して医薬担体の胴体部材に分配する工程と、  （ｃ）前記医薬担体の胴体部材を前記医薬担体の相補的な蓋部材で覆い、それにより医薬品を生産する工程と、を含む、医薬品の調製方法。
2020535880.tif 000002
【特許請求の範囲】
【請求項１】
（ａ）ＦＴ４パウダーレオメータの使用により決定された以下のパラメータ（ｉ）〜（ｖｉｉｉ）、
（ｉ）特定基本流動エネルギー（ｓＢＦＥ）が最大で６０ｍＪ／ｇ、
（ｉｉ）安定性指標（ＳＩ）が０．７５〜１．２５、
（ｉｉｉ）比エネルギー（ＳＥ）が最大で１０ｍＪ／ｇ、
（ｉｖ）１５ｋＰａでの最大原理応力（ＭＰＳ−１５）が最大で４０、
（ｖ）１５ｋＰａでの流れ関数（ＦＦ−１５）が少なくとも１．３、
（ｖｉ）１５ｋＰａでの圧縮後のかさ密度（ＣＢＤ−１５）が少なくとも０．２６ｇ／ｍＬ、
（ｖｉｉ）圧縮率が最大で４７％；及び
（ｖｉｉｉ）壁摩擦角（ＷＦＡ）が最大で４０°、
のうちの少なくとも５つに適合する未希釈医薬品有効成分（ＡＰＩ）を用意する工程と、
（ｂ）工程（ａ）の前記未希釈ＡＰＩを真空アシスト式測定及び充填デバイスを使用して医薬担体の胴体部材に分配する工程と、
（ｃ）前記医薬担体の前記胴体部材を前記医薬担体の相補的な蓋部材で覆い、それにより医薬品を生産する工程と、
を含む、医薬品の調製方法。
【請求項２】
前記パラメータのうちの少なくとも１つはパラメータ（ｉ）〜（ｉｉｉ）から選択され、前記パラメータのうちの少なくとも１つはパラメータ（ｉｖ）〜（ｖｉ）から選択される、請求項１に記載の方法。
【請求項３】
前記パラメータのうちの少なくとも１つはパラメータ（ｉ）又はパラメータ（ｉｉｉ）であり、前記パラメータのうちの少なくとも１つはパラメータ（ｉｖ）又はパラメータ（ｖ）である、請求項２に記載の方法。
【請求項４】
前記パラメータのうちの少なくとも１つはパラメータ（ｖｉｉ）又はパラメータ（ｖｉｉｉ）である、請求項１〜３のいずれか一項に記載の方法。
【請求項５】
前記医薬品は経口剤形である、請求項１〜４のいずれか一項に記載の方法。
【請求項６】
前記真空アシスト式測定及び充填デバイスは回転可能なドラムである、請求項１〜５のいずれか一項に記載の方法。
【請求項７】
前記真空アシスト式測定及び充填デバイスは回転可能なドラムであり、前記ＡＰＩの測定及び分配を補助するためにスターラ又は音波／超音波デバイスのいずれかを備え、
前記真空アシスト式測定及び充填デバイスがスターラを備える場合、前記スターラは、１サイクル当たり１〜４回転に設定され、
前記真空アシスト式測定及び充填デバイスが、前記回転可能なドラムのキャビティに入る粉末のマイクロブリッジングを押して破壊するポゴ又はポールである超音波デバイスを備える場合、前記ポゴ又はポールは、１０，０００Ｈｚ〜１８０，０００Ｈｚの振動数を適用する、
請求項６に記載の方法。
【請求項８】
前記真空アシスト式測定及び充填デバイスは、流動化デバイス及び超音波変換器を備えた粉末トラフを含む、請求項６又は７に記載の方法。
【請求項９】
供給は、振動ホッパーから粉末トラフへと行われ、前記ホッパーは、前記粉末トラフに向かって、センサにより作動される、請求項８に記載の方法。
【請求項１０】
供給は、それぞれ音波デバイスを備えるホッパーから粉末トラフへと、１００〜１０００Ｈｚの振動数を使用して行われ、前記ホッパーは、前記粉末トラフに向かって、好ましくは、センサにより作動される、請求項８に記載の方法。
【請求項１１】
前記未希釈ＡＰＩは最大で５％（ｗ／ｗ）の添加剤を含む、請求項１〜１０のいずれか一項に記載の方法。
【請求項１２】
工程（ｂ）における前記未希釈ＡＰＩの用量は０．１ｍｇ〜５５０ｍｇの範囲内である、請求項１〜１１のいずれか一項に記載の方法。
【請求項１３】
工程（ｂ）における前記未希釈ＡＰＩの用量は、５％未満の二乗平方根偏差（ＲＳＤ）を有する、請求項１２に記載の方法。
【請求項１４】
前記未希釈ＡＰＩは、工程（ｃ）の前に振動、振とう、又はタッピングによって前記医薬担体の前記胴体部材内で集められる、請求項１〜１３のいずれか一項に記載の方法。
【請求項１５】
連続プロセスである、請求項１〜１４のいずれか一項に記載の方法。
【発明の詳細な説明】
【技術分野】
【０００１】
本発明は、真空アシスト式測定及び充填デバイスを用いて医薬品有効成分粉末を医薬担体に充填することを伴う医薬品の調製方法に関する。本明細書中に開示される方法は、医薬品を製造するための高スループットプロセスなどの連続プロセスで使用され得る。
【背景技術】
【０００２】
医薬品有効成分（ＡＰＩ：ａｃｔｉｖｅ  ｐｈａｒｍａｃｅｕｔｉｃａｌ  ｉｎｇｒｅｄｉｅｎｔ）の発見から早期臨床段階を経た後期臨床段階及び最終市販製品までの製造は要求が厳しく、資源集約的である。ＡＰＩを含有する市販製剤及び関連の製造プロセスは、一般に、賦形剤の混合又は造粒を含む。特に低用量製剤の製造では幾何学的希釈、湿式造粒、及び乾式混合が適用される。用量の均一性及び賦形剤とＡＰＩとの間の均質性を確実にする適切な混合方法の実現に関して多くの労力が費やされる。更に、スケールアップ操作に多くの労力が払われ、早期（又は最初のアプローチの）製剤が予期せぬ生物薬剤学的プロファイルを示したとき又は後期加工に適さないと判明したときには再調合が行われる。開発を加速させるために、ＡＰＩを早期にカプセル内に未希釈な状態で供給することができる。ペッパーポット計測原理（ｐｅｐｐｅｒ  ｐｏｔ  ｄｏｓｉｎｇ  ｐｒｉｎｃｉｐｌｅ）を古典的な秤量（Ｘｃｅｌｏｄｏｓｅ（登録商標））と組み合わせたものが広く用いられている解決策である。しかしながら、後期においては、賦形剤との古典的な調合がなお開発されている。
【０００３】
カプセル内に未希釈ＡＰＩを用いることによって、賦形剤の適合性を調べ、剤形を完全に製造する代わりに、カプセルシェルとＡＰＩとの間の適合性を単に評価することにより製剤開発時間を削減することができる。干渉する賦形剤が存在しないため特異性を評価する必要がないことから、分析方法の開発時間も削減することができる。したがって、原薬の分析方法で薬物製品の必要を満たすことができる。しかしながら、一貫した充填量、特に低充填重量でのカプセルへの未希釈ＡＰＩの充填の実現には課題がある。
【発明の概要】
【課題を解決するための手段】
【０００４】
本発明は、商業製造までの薬物製品の全開発経路にわたる、非常に幅広い用量範囲における未希釈ＡＰＩ（即ち非常に低量の添加剤を含むＡＰＩ）の直接被包を目的とした工学的及び製造的概念に関する。本開示の方法は、医薬品を製造するための高スループットプロセスなどの連続プロセスで特に有用である。
【０００５】
本開示の方法は、任意の他の設備では充填することができない粉末を含む著しく広範囲の粉末特性に適応する固有の能力を有し、プラットフォームの使用者が未希釈ＡＰＩ粉末の特性（例えば、過度の凝集性、付着性、流動性の悪さ等）に対処することを可能にする。開示される方法は、経口医薬品形態の開発及び製造を根本的に簡略化する技術及び組織的解決策の比較的簡単な組み合わせにおいて薬物開発の多くの複雑な側面に対処することができる。当該方法は、商業製造までの医薬品研究及び開発の開発経路に入る（固有溶解度特性が十分に良好な）任意の新たなＡＰＩに対して再帰的に用いることができる。
【０００６】
上記の目的を実現するために、本開示の方法は、設備と技術の一般的でない組み合わせはもとより、粉末挙動の理解、予測、選択、修正及び制御の新規な手順を適用する。
【０００７】
したがって、本発明は、
（ａ）ＦＴ４パウダーレオメータの使用により決定された以下のパラメータ（ｉ）〜（ｖｉｉｉ）、
（ｉ）特定基本流動エネルギー（ｓＢＦＥ）が最大で６０ｍＪ／ｇ、
（ｉｉ）安定性指標（ＳＩ）が０．７５〜１．２５、
（ｉｉｉ）比エネルギー（ＳＥ）が最大で１０ｍＪ／ｇ、
（ｉｖ）１５ｋＰａでの最大原理応力（ｍａｊｏｒ  ｐｒｉｎｃｉｐｌｅ  ｓｔｒｅｓｓ）（ＭＰＳ−１５）が最大で４０、
（ｖ）１５ｋＰａでの流れ関数（ＦＦ−１５）が少なくとも１．３、
（ｖｉ）１５ｋＰａでの圧縮後のかさ密度（ＣＢＤ−１５）が少なくとも０．２６ｇ／ｍＬ、
（ｖｉｉ）圧縮率が最大で４７％、及び
（ｖｉｉｉ）壁摩擦角（ＷＦＡ）が最大で４０°、
のうちの少なくとも５つに適合する医薬品有効成分（ＡＰＩ）を用意する工程と、
（ｂ）工程（ａ）のＡＰＩを真空アシスト式測定及び充填デバイスを使用して医薬担体の胴体部材に分配する工程と、
（ｃ）前記医薬担体の胴体部材を前記医薬担体の相補的な蓋部材で覆い、それにより医薬品を生産する工程と、
を含む医薬品の調製方法を提供する。
【０００８】
関連する態様において、本発明は、医薬担体又は剤形に未希釈医薬品有効成分（ＡＰＩ）粉末を充填する方法であって、
（ａ）ＡＰＩ粉末を真空アシスト式測定及び充填デバイスを使用して医薬担体又は剤形の胴体部材に分配する工程と、
（ｂ）前記医薬担体又は剤形の胴体部材を前記医薬担体又は剤形の相補的な蓋部材で覆い、それにより充填された医薬担体又は剤形を生産する工程と、
を含み、
未希釈ＡＰＩは、ＦＴ４パウダーレオメータの使用により決定された以下のパラメータ（ｉ）〜（ｖｉｉｉ）、
（ｉ）特定基本流動エネルギー（ｓＢＦＥ）が最大で６０ｍＪ／ｇ、
（ｉｉ）安定性指標（ＳＩ）が０．７５〜１．２５、
（ｉｉｉ）比エネルギー（ＳＥ）が最大で１０ｍＪ／ｇ、
（ｉｖ）１５ｋＰａでの最大原理応力（ｍａｊｏｒ  ｐｒｉｎｃｉｐｌｅ  ｓｔｒｅｓｓ）（ＭＰＳ−１５）が最大で４０、
（ｖ）１５ｋＰａでの流れ関数（ＦＦ−１５）が少なくとも１．３、
（ｖｉ）１５ｋＰａでの圧縮後のかさ密度（ＣＢＤ−１５）が少なくとも０．２６ｇ／ｍＬ、
（ｖｉｉ）圧縮率が最大で４７％、
（ｖｉｉｉ）壁摩擦角（ＷＦＡ）が最大で４０°、
のうちの少なくとも５つに適合する方法を提供する。
【０００９】
したがって、充填及び密閉された医薬担体／剤形は、典型的には、未希釈ＡＰＩのみを含む（未希釈ＡＰＩは、５％、４％、３％、２％、１％、０．５％、又は０．１％以下の添加剤を含んでもよいことに留意されたい）。
【００１０】
本発明はまた、本明細書中の実施形態のいずれかに記載されている本発明のプロセスによって得られた又は得られる未希釈ＡＰＩ（未希釈ＡＰＩは、５％、４％、３％、２％、１％、０．５％、又は０．１％以下の添加剤を含んでもよいことに留意されたい）のみを含む経口剤形などの医薬担体／剤形を提供する。
【００１１】
本発明者は、ＡＰＩが医薬品中に未希釈ＡＰＩとして直接配合されるのに適しているか、又は更なる改良（粒子エンジニアリング）が必要であるかどうかを予測する方法を開発した。したがって、工程（ａ）は、ＡＰＩを医薬品中に未希釈ＡＰＩとして配合するために要求される特定の粉末パラメータの新たな最低基準を定義する品質検査を示す。
【００１２】
したがって、本発明はまた、ＡＰＩが医薬品中に未希釈ＡＰＩとして直接配合されるのに適しているかどうかを予測する方法であって、ＦＴ４パウダーレオメータを使用し、ＡＰＩが、ＦＴ４パウダーレオメータの使用により決定された以下のパラメータ（ｉ）〜（ｖｉｉｉ）、
（ｉ）特定基本流動エネルギー（ｓＢＦＥ）が最大で６０ｍＪ／ｇ、
（ｉｉ）安定性指標（ＳＩ）が０．７５〜１．２５、
（ｉｉｉ）比エネルギー（ＳＥ）が最大で１０ｍＪ／ｇ、
（ｉｖ）１５ｋＰａでの最大原理応力（ｍａｊｏｒ  ｐｒｉｎｃｉｐｌｅ  ｓｔｒｅｓｓ）（ＭＰＳ−１５）が最大で４０、
（ｖ）１５ｋＰａでの流れ関数（ＦＦ−１５）が少なくとも１．３、
（ｖｉ）１５ｋＰａでの圧縮後のかさ密度（ＣＢＤ−１５）が少なくとも０．２６ｇ／ｍＬ、
（ｖｉｉ）圧縮率が最大で４７％、及び
（ｖｉｉｉ）壁摩擦角（ＷＦＡ）が最大で４０°、
のうちの少なくとも５つに適合するかどうかを決定する工程を含む方法を提供する。
【００１３】
製薬業界では、ドラム充填機技術などの真空アシスト式測定及び充填デバイスの使用は、賦形剤を含む吸入製品（乳糖ブレンド又は人工粒子、例えば、ＰｕｌｍｏＳｐｈｅｒｅｓ（商標）など）に関連してこれまで説明されてきたが、経口剤形を含む、未希釈ＡＰＩを使用して製造される剤形へのその適用は他に類を見ないと考えられる。業界でより一般的なのは、配合されたブレンド又は造粒済み材料を、ドセイタ（ｄｏｓａｔｏｒ）又は突き固めピン充填原理を使用してカプセルに供給することである。
【００１４】
更に記載する実施形態では、真空ドラムディスペンサは、流動化デバイス、特に、音響変換器、より具体的には、超音波変換器を備えた粉末トラフを含む。加えて、ＡＰＩは、工程（ｃ）の前に振動、振とう、又はタッピングによって医薬担体の胴体部材に集められてもよい。
【００１５】
特定の実施形態では、医薬品は経口剤形である。経口剤形の一例は、明細書中の以下及び別の場所の実施形態に記載される射出成形された錠剤形の担体である。
【００１６】
一実施形態では、工程（ｃ）における医薬担体は、新規な医薬品剤形としての錠剤形担体（本明細書では、Ｐｒｅｓｃｉｄｏ（商標）とも称される）である。この担体は、錠剤の患者への訴求力を維持しつつも標準的な医薬品カプセルの機能性を有するように設計されている。本明細書中に記載される担体は、熱プロセスにおいて良好に機能するように設計された製剤を用いて、精密射出成形プロセスにより製造される。本配合物が射出成形法において高い性能を示すことにより、担体の柔軟な設計が可能になり、射出成形において従来難題であった、寸法が非常に小さい特徴を有する設計を高いロバスト性で製造することが可能になる。この設計及び製造の特徴をその利点と共に挙げると、特に、薄肉の壁部（水性媒体中における担体の崩壊時間が短い）、小型のスナップ式閉鎖機能（緊密に閉鎖することにより、輸送中の担体の開放を防止すると共に、担体内容物の改竄を制限する）、キャビティのナンバリング（使用前の追跡性及び部材の選別）、並びに重量及び寸法の高精密性（処理工程のロバスト性が高い（ｒｏｂｕｓｔ  ｈａｎｄｌｉｎｇ  ｐｒｏｃｅｓｓ））が挙げられる。
【００１７】
開発した本配合物は、容易な熱加工性を有することに加えて、従来のカプセルと比較して、例えば、低含水量（水の影響を受けやすい有効物質との適合性が向上する）、標準的な製造条件下における低い吸湿性及び湿気に対する低い感受性、並びにひじょうに比較的速い溶解性（水性媒体中における速やかな担体破壊）等の多くの利点を担体に付与する。したがって、ＰｒｅｓｃｉｄｏＴＭ担体は、好ましい含水量及び吸水性を有することから、水分の影響を受けやすい化合物の処理及び安定性に関し有利であるため、従来のカプセルと比較して有利である。
【図面の簡単な説明】
【００１８】
【図１】カプセル充填機械内の静電容量式センサを使用する簡略化した測定手法を示す。
【図２】医薬品の調製方法に含まれる工程のフローチャートを示す。
【図３】カプセル充填機械内の複数の静電容量式センサを使用する簡略化した測定手法を示す。
【図４】医薬担体の様々な設計を示す。
【図５】図５は、図４に従う医薬担体の例示的な実施形態の蓋部材（左側）及び胴体部材（右側）の断面図を、蓋部材及び胴体部材に設けられた閉鎖機構の詳細図と共に示す。
【図６】図６Ａは、図５の右側に示す担体胴体部材の三次元図である。図６Ｂは、図５に従う医薬担体の蓋部材及び胴体部材に設けられた閉鎖機構の更に詳細な図を示す。
【発明を実施するための形態】
【００１９】
本発明は、特許請求の範囲で更に定義されるように、
（ａ）ＦＴ４パウダーレオメータの使用により決定された以下のパラメータ（ｉ）〜（ｖｉｉｉ）、
（ｉ）特定基本流動エネルギー（ｓＢＦＥ）が最大で６０ｍＪ／ｇ、
（ｉｉ）安定性指標（ＳＩ）が０．７５〜１．２５、
（ｉｉｉ）比エネルギー（ＳＥ）が最大で１０ｍＪ／ｇ、
（ｉｖ）１５ｋＰａでの最大原理応力（ｍａｊｏｒ  ｐｒｉｎｃｉｐｌｅ  ｓｔｒｅｓｓ）（ＭＰＳ−１５）が最大で４０、
（ｖ）１５ｋＰａでの流れ関数（ＦＦ−１５）が少なくとも１．３、
（ｖｉ）１５ｋＰａでの圧縮後のかさ密度（ＣＢＤ−１５）が少なくとも０．２６ｇ／ｍＬ、
（ｖｉｉ）圧縮率が最大で４７％、及び
（ｖｉｉｉ）壁摩擦角（ＷＦＡ）が最大で４０°、
のうちの少なくとも５つに適合する医薬品有効成分（ＡＰＩ）を用意する工程と、
（ｂ）工程（ａ）のＡＰＩを真空アシスト式測定及び充填デバイスを使用して医薬担体の胴体部材に分配する工程と、
（ｃ）前記医薬担体の胴体部材を前記医薬担体の相補的な蓋部材で覆い、それにより医薬品を生産する工程と、
を含む医薬品の調製方法を提供する。
【００２０】
あらゆるスケールで有効な本明細書中に開示される方法のフローチャートを図２に提供する。
【００２１】
未希釈ＡＰＩの選択及び修正
本発明者は、粉末の充填挙動を識別及び予測することができる「８パラメータモデル」を開発した。８つのパラメータは以下の通りである。
ｓＢＦＥ：特定基本流動エネルギー（ｍＪ／ｇ）：ＢＦＥ（標準ＦＴ４試験プラットフォームから得られる）をサンプルの分割質量で除して得られる
ＳＩ：安定性指標、標準変数、無次元
ＳＥ：比エネルギー（ｍＪ／ｇ）、標準変数
ＭＰＳ＠１５ｋＰａ：最大主応力、標準変数
ＦＦ＠１５ｋＰａ：流れ関数（無次元）、せん断セルによる、標準変数
ＣＢＤ＠１５ｋＰａ：圧縮後のかさ密度（ｇ／ｍＬ）、標準変数（せん断セルによる）
ＣＰＳ：圧縮率（％）、標準変数
ＷＦＡ：壁摩擦角（度）、標準変数。
【００２２】
以下の表は、モデルの一部を形成する各パラメータの範囲及び好ましい範囲を示す。各パラメータの好ましい及び最も好ましい各範囲は、任意の他のパラメータの好ましい及び最も好ましい各範囲と個々に組み合わせることができる。
【００２３】
【表１】
2020535880.tif 000003
【００２４】
好適な実施形態では、工程（ａ）における粉末パラメータは、以下の要件、好ましくは、以下の要件のうちの少なくとも５つを満たす。
（ｉ）ｓＢＦＥは最大で２５ｍＪ／ｇ、特に、最大で６ｍＪ／ｇ、及び／又は
（ｉｉ）ＳＩは０．８３〜１．１８、特に、０．９〜１．１、及び／又は
（ｉｉｉ）ＳＥは最大で８ｍＪ／ｇ、特に、最大で６ｍＪ／ｇ、及び／又は
（ｉｖ）ＭＰＳ−１５は最大で３３、特に、最大で２５、及び／又は
（ｖ）ＦＦ−１５は少なくとも３、特に、少なくとも１０、及び／又は
（ｖｉ）ＣＢＤ−１５は少なくとも０．４５ｇ／ｍＬ、特に、少なくとも０．６ｇ／ｍＬ、及び／又は
（ｖｉｉ）圧縮率は最大で３５％、特に、３〜１５％、及び／又は
（ｖｉｉｉ）ＷＦＡは最大で３４°、特に、最大で２８°。
【００２５】
標準ＦＴ４パウダーレオメータは、少なくとも６つの粉末キャラクタリゼーション方法（測定シリンダ直径当たりの）を提供する。分析のために選択したものは以下の通りである。
２５ｍｍ＿１Ｃ＿Ｓｐｌｉｔ＿Ｒｅｐ＋ＶＦＲ＿Ｒ０１、
２５ｍｍ＿Ｓｈｅａｒ＿１５ｋＰａ、
２５ｍｍ＿Ｃｏｍｐｒｅｓｓｉｂｉｌｉｔｙ＿１−１５ｋＰａ、
２５ｍｍ＿Ｗａｌｌ  Ｆｒｉｃｔｉｏｎ＿３０ｋＰａ。
【００２６】
パラメータは、選択したこれら４つのキャラクタリゼーション方法に基づき４つのグループに分けることができる。
グループ１−（ｉ）ｓＢＦＥ、（ｉｉ）ＳＩ、（ｉｉｉ）ＳＥ
グループ２−（ｉｖ）ＭＰＳ−１５、（ｖ）ＦＦ−１５、（ｖｉ）ＣＢＤ−１５
グループ３−（ｖｉｉ）ＣＰＳ
グループ４−（ｖｉｉｉ）ＷＦＡ。
【００２７】
ＦＴ４パウダーレオメータは、Ｆｒｅｅｍａｎ  Ｔｅｃｈｎｏｌｏｇｙにより市販されている。
【００２８】
パラメータの４つが指示範囲外である場合、粉末は、製造性の観点において境界線にあると予測される。パラメータの４つより多くが指示範囲外である場合、ここで未希釈ＡＰＩとして記載される粉末は任意の自動機械においておそらく及び事実上加工できない。更に、ＭＰＳが非常に高く、且つそれよりも低くはあるがＷＦＡも高い場合、粉末は充填及び供給デバイス内に蓄積しやすくなることが見出された。これは音波／超音波充填技術の負の特性である。その一方で、ＳＩが高すぎる場合、粉末が時間の経過とともにその特性を変化させ、粉末がせん断力に対してより敏感になる。このような粉末は、スターラを使用する標準的な真空ドラム充填技術における加工性が低下する。
【００２９】
好適な実施形態では、パラメータのうちの少なくとも１つはパラメータ（ｉ）〜（ｉｉｉ）から選択され、パラメータのうちの少なくとも１つはパラメータ（ｉｖ）〜（ｖｉ）から選択される、即ち、少なくとも１つはグループ１から、少なくとも１つはグループ２からである。好ましくは、グループ１のパラメータのうちの少なくとも１つはパラメータ（ｉ）又はパラメータ（ｉｉｉ）、及びグループ２のパラメータのうちの少なくとも１つはパラメータ（ｉｖ）又はパラメータ（ｖ）である。
【００３０】
前述の実施形態と組み合わされ得る別の実施形態では、パラメータのうちの少なくとも１つはパラメータ（ｖｉｉ）又はパラメータ（ｖｉｉｉ）、即ち、グループ３又はグループ４である。
【００３１】
ＡＰＩの測定及び分配を補助するために真空アシスト式測定及び充填デバイスが超音波デバイスを備える場合、ｓＢＦＥは２９以下、例えば２５以下であると有利であり得る。この状況におけるＣＰＳは最大６５％であり得る。
【００３２】
一実施形態において、ＷＦＡは３４以下である及び／又はＣＰＳは３５以下である。
【００３３】
ＡＰＩの測定及び分配を補助するために真空アシスト式測定及び充填デバイスがスターラを備える場合、ＳＩは０．８３〜１．１８、例えば０．９〜１．１であり、ＣＰＳは３５％以下であると有利であり得る。
【００３４】
したがって、本発明はまた、上述の８パラメータモデルを使用し、ＡＰＩが医薬品中に未希釈ＡＰＩとして直接配合されるのに適しているかどうかを予測する方法（その全実施形態）を提供する。
【００３５】
多くの場合、方法の工程（ａ）は、未希釈ＡＰＩが生産される湿潤段階（図２の一番左側の部分）を含む。一般に、このような湿潤段階は結晶化工程を含む。この結晶化工程は、未希釈ＡＰＩの望ましい粒径の結晶が得られるように元から制御することができる。結晶化プロセスにおいて粒径を制御するためのパラメータ及び手段は当該分野で周知であり、温度、湿度、ｐＨ、撹拌の設定、並びに適切な塩、緩衝剤、及び有機溶媒の選択を含む。これらパラメータの選択は対象のＡＰＩによって異なり、それらの決定はＡＰＩの生産プロセスの一部を成す。結晶化に続き、ＡＰＩは、通常、濾過及び乾燥される。
【００３６】
しかしながら、更なる実施形態では、方法の工程（ａ）は、粒径を更に低減するＡＰＩの湿式粉砕を更に含んでもよい。
【００３７】
粒径はまた、湿潤段階中における添加剤の添加によって制御されてもよい。適切な添加剤が典型的には懸濁液、溶液、又は固体として使用される。添加剤の特性及び前記添加剤が添加されるプロセス中の時点は、プロセス開発中のＡＰＩに固有のものである。あるいは又は加えて、添加剤はまた、プロセス性能又はより良好なぬれ性などの表面特性の利点を向上させるために、湿潤段階中にＡＰＩに添加してもよい。
【００３８】
添加剤は、製造プロセス中の１つ以上の時点で、例えば、結晶化工程中、濾過工程中、及び／又は乾燥工程中に添加されてもよい。例えば、ＡＰＩ母粒子は、湿潤段階の結晶化中に、又は結晶化後若しくは粉砕後に懸濁液中でポリマーにより被覆され得る。
【００３９】
使用される添加剤の比率は、ＡＰＩ含量均一性にも質量センサの測定精度にも影響を及ぼさないように常に十分に低い。これは、特に低用量においてＡＰＩが常に相当量の賦形剤中に希釈される従来の製剤とは対照的な概念である。したがって、添加される添加剤の量は非常に少ない。例えば、結晶化工程、濾過工程、又は乾燥工程中若しくは後に、１種以上の添加剤が、最大で２％（ｗ／ｗ）、好ましくは最大で１．５％（ｗ／ｗ）、より好ましくは最大で１％（ｗ／ｗ）、更により好ましくは最大で０．５％（ｗ／ｗ）、及び最も好ましくは最大で０．１％（ｗ／ｗ）の量まで添加されてもよい。１種以上の添加剤は、ヒドロキシプロピルセルロース、ヒドロキシプロピルメチルセルロース、ポリビニルピロリドン、アクリル系ポリマー、ラウリル硫酸ナトリウム、ゼラチン、モノステアリン酸スクロース及びモノパルミチン酸スクロースなどの糖エステル、並びにこれらの任意の組み合わせからなる群から選択されてもよい。
【００４０】
湿潤段階に続き、ＡＰＩは、任意選択で、乾燥段階において更にコンディショニングされてもよい。例えば、方法の工程（ａ）は、ＡＰＩの乾式粉砕及び／又は篩分を更に含んでもよい。篩分は、円錐形篩分機器による篩分、振動篩分、又は超音波振動によりアシストされたスクリーン篩分（ｓｃｒｅｅｎ  ｓｉｅｖｉｎｇ）から選択されてもよい。
【００４１】
また、乾燥段階において、プロセス性能の利点を得るために、物性向上との関連で、ＡＰＩ粒子は微細な添加剤で処理され、更に被覆されてもよい（加工助剤及び表面特性助剤（ｓｕｒｆａｃｅ  ｐｒｏｐｅｒｔｙ  ａｉｄ）、図２の中央左側を参照）。したがって、いくつかの実施形態では、方法の工程（ａ）は、１種以上の添加剤が、最大で５％（ｗ／ｗ）、好ましくは最大で４％（ｗ／ｗ）、より好ましくは最大で３％（ｗ／ｗ）、更により好ましくは最大で２％（ｗ／ｗ）、及び最も好ましくは最大で１％（ｗ／ｗ）の量まで添加される乾燥段階を更に含む。
【００４２】
添加剤は、湿潤段階におけるＡＰＩの単離後に典型的には添加されてもよく、それにより、乾燥段階ＡＰＩコンディショニングプロセスの直前に又はその一部として添加される。商業環境で利用可能な確立された技術が用いられてもよい。例えば、１種以上の添加剤は、（ｉ）特にタンブラーミキサにおける低せん断混合、（ｉｉ）特にロータリーミキサにおける高せん断混合、又は（ｉｉｉ）特にメカノフュージョンにおける超高せん断混合、によって添加される。混合は、典型的には、少なくとも３分間及び最大３時間の継続時間にわたって行われる。
【００４３】
乾燥段階中、添加剤は典型的には固体として使用される。ある実施形態では、１種以上の添加剤は、疎水性コロイド二酸化ケイ素、親水性コロイド二酸化ケイ素、ステアリン酸マグネシウム、ステアリン酸、フマル酸ステアリルナトリウム、ポロキサマー１８８、水素化植物油、又はそれらの任意の組み合わせの群から選択される。
【００４４】
本プロセスの発明の工程（ａ）における添加剤添加及びそれらの異なる処理方法の目的は、第１に、十分なレベルの粉末レオロジー特性を達成することである。
【００４５】
いずれの場合においても、工程（ａ）においてもたらされる最終未希釈ＡＰＩは、最大で５％（ｗ／ｗ）、好ましくは最大で４％（ｗ／ｗ）、より好ましくは最大で３％（ｗ／ｗ）、更により好ましくは最大で２％（ｗ／ｗ）、及び最も好ましくは最大で１％（ｗ／ｗ）の添加剤を含む。
【００４６】
上述したように、当業者であれば、粉末パラメータを工程（ａ）に記載された要件に準拠するようどのように適応させるかについて知っている。同様な例では、添加剤はまた、用語又は（ｉｎ  ｔｅｒｍ  ｏｒ）ＡＰＩの生物薬剤学的プロファイルに関する改良を達成するために指示範囲内で添加されてもよい。加えて、走査電子顕微鏡法（ＳＥＭ）により粒径及び形状の質的印象（ｑｕａｌｉｔａｔｉｖｅ  ｉｍｐｒｅｓｓｉｏｎ）を提供する。小さなサンプルサイズはバッチを表すものではない可能性があるため、これは視覚的ガイダンスとしてのみ使用され得る。
【００４７】
カプセルへの未希釈ＡＰＩの充填
方法の工程（ｂ）では、工程（ａ）のＡＰＩが真空アシスト式測定及び充填デバイスを使用して医薬担体の胴体部材に分配される。このようなデバイスは、０．２５ｍｇ未満から０．５グラムまでの供給を可能にし、この範囲にわたって非常に精密な供給を行う。したがって、本開示の方法は、０．２５ｍｇと少なくなり得る総充填質量を、任意の古典的な調合工程を伴うことなく高精度で供給することを可能にする。真空アシスト式測定及び充填デバイスは、流動性が乏しく且つ凝集性の粉末の充填を可能にする。用量形成中、低い機械的ストレスが粉末に加えられ、他の充填原理の点から、機器表面への付着のリスクが低下する。これらの利点により、固形経口製品の大規模被包において従来使用されている従来の技術に比べて処理可能な粉末特性が広範囲になり、且つ未希釈原薬の被包のプロセス堅牢性が高くなる。
【００４８】
工程（ｂ）は、工程（ａ）の要件が満たされた場合にのみ機能する。このため、工程（ａ）と工程（ｂ）は相互に関係する。したがって、本開示は、真空アシスト式測定及び充填デバイスを使用して粉末を分配及び供給することができるかどうかを決定することを可能にする。同時に、本開示は、あるＡＰＩを、真空アシスト式測定及び充填デバイスにより分配するのに適したものにするためにいかにして（再）構成しなければならないかの貴重なガイダンスを当業者に提供する。
【００４９】
吸入製品を対象としたドラム充填機技術などの真空アシスト式測定及び充填デバイスの使用は製薬業界において周知であるが、未希釈ＡＰＩを用いた経口剤形製造へのその適用は他に類を見ないと考えられる。したがって、好適な実施形態では、医薬品は経口剤形である。業界でより一般的なのは、配合されたブレンド又は造粒済み材料を、ドセイタ又は突き固めピン充填原理を使用してカプセルに供給することである。
【００５０】
真空アシスト式測定及び充填デバイスを使用すると、本開示の方法を連続プロセスに適用することが可能になるため、特に有利である。結果として、本発明の方法は、医薬品を製造するための高スループットプロセスで使用することができ、７０，０００ユニット／時間又は更にそれ以上の生産を可能にする。その結果、本方法は、その最終商業生産を含む医薬品の全開発段階を通して未希釈ＡＰＩ、即ち最大で５％（ｗ／ｗ）の添加剤を含むＡＰＩを用いた医薬品の調製を可能にする。本方法の工程（ａ）及び工程（ｂ）を含まない先行技術の方法は、低スループットのみを示す。高スループット生産を実施するためには、様々な開発段階中にＡＰＩを薬剤組成物中に（再）配合しなければならなかった。
【００５１】
好適な実施形態では、真空アシスト式測定及び充填デバイスは回転可能なドラムである。例えば、真空は、−１００〜−８００ｍＢａｒ、例えば−２００〜−８００ｍＢａｒ、好ましくは−３００〜−８００ｍＢａｒ、より好ましくは−４００〜−８００ｍＢａｒ、例えば−５００〜−８００ｍＢａｒ、又は更には−６００〜−８００ｍＢａｒでドラムキャビティ内に適用される。ある実施形態では、真空はまた、−８００ｍＢａｒよりも高くてもよい。適用される真空とは無関係に、ＡＰＩは、１００〜１５００ｍＢａｒ、好ましくは２００〜１５００ｍＢａｒ、より好ましくは３００〜１５００ｍＢａｒ、例えば４００〜１５００ｍＢａｒ、特に、５００〜１５００ｍＢａｒ、より好ましくは６００〜１５００ｍＢａｒ、例えば７００〜１５００ｍＢａｒ、更により好ましくは８００〜１５００ｍＢａｒ、特に、９００〜１５００ｍＢａｒ、又は更には１０００〜１５００ｍＢａｒの排出圧力で分配されてもよい。ある実施形態では、ＡＰＩを１５００ｍＢａｒ超の排出圧力で分配することも有利であり得る。
【００５２】
真空アシスト式測定及び充填デバイスが回転可能なドラムである場合、前記回転可能なドラムは、充填することができる粉末特性の範囲を広げるいくつかの特定の追加的な特徴によって補助されてもよい。これらは、ドラムキャビティ近傍のトラフ内における、超音波変換器（ソニケータ）を使用した粉末の流動化を含み、超音波変換器は、いくつかの粉末の乏しい流動特性を克服するために、プローブに隣接する粉末を流動化し、ＡＰＩがドラムキャビティへとより自由に流れることを可能にする。例えば、真空アシスト式測定及び充填デバイスはスターラを備えてもよく、スターラは、１サイクル当たり１〜４回転、例えば、１サイクル当たり約２〜約４回転、又は１サイクル当たり約１〜約３回転、又は１サイクル当たり約２〜約３回転に設定される。代替的に、真空アシスト式測定及び充填デバイスは、音波／超音波デバイス、特に、回転可能なドラムのキャビティに入る粉末のマイクロブリッジングを押して破壊するポゴ又はポールを備えてもよい。例えば、ポゴ又はポールは、１０，０００Ｈｚ〜１８０，０００Ｈｚ、好ましくは１１，０００Ｈｚ〜１７０，０００Ｈｚ、より好ましくは１２，０００Ｈｚ〜１６０，０００Ｈｚ、より好ましくは１３，０００Ｈｚ〜１５０，０００Ｈｚ、より好ましくは１４，０００Ｈｚ〜１４０，０００Ｈｚ、より好ましくは１５，０００Ｈｚ〜１３０，０００Ｈｚ、より好ましくは１６，０００Ｈｚ〜１２０，０００Ｈｚ、より好ましくは１７，０００Ｈｚ〜１１０，０００Ｈｚ、より好ましくは１８，０００Ｈｚ〜１００，０００Ｈｚ、より好ましくは１９，０００Ｈｚ〜９０，０００Ｈｚ、より好ましくは２０，０００Ｈｚ〜８０，０００Ｈｚ、より好ましくは２１，０００Ｈｚ〜７０，０００Ｈｚ、より好ましくは２１，５００Ｈｚ〜６０，０００Ｈｚ、より好ましくは２２，０００Ｈｚ〜５０，０００Ｈｚ、より好ましくは２２，０００Ｈｚ〜４０，０００Ｈｚ、より好ましくは２２，０００Ｈｚ〜３０，０００Ｈｚの振動数、及び最も好ましくは約２２，０００Ｈｚの振動数を適用する。
【００５３】
当業者は、ＡＰＩの粉末レオロジーに応じてスターラ又は音波／超音波デバイス間で選択してもよい。特に、ＭＰＳ−１５が２８以下、及び／又はＷＦＡが３１°以下である場合、ＡＰＩは、ＡＰＩの測定及び分配の補助のために音波／超音波デバイスを備える真空アシスト式測定及び充填デバイスと併せて使用するのに適している。その一方で、ＳＩが１．１を超える場合、ＡＰＩは、ＡＰＩの測定及び分配の補助のためにスターラを備える真空アシスト式測定及び充填デバイスと併せて使用するのには適していない。本明細書中の以下の例も参照されたい。
【００５４】
他の実施形態は、トラフ内のＡＰＩをならし、均一な粉末床を確実とする音響デバイス及び筐体の使用を伴う。類似の音響システムもまた、ホッパー内の粉末を整え、ホッパーからトラフへの流れを確実とするために使用される。したがって、更なる実施形態では、真空アシスト式測定及び充填デバイスは、流動化デバイスを備えた粉末トラフを含んでもよい。このようなデバイスの例は音響スピーカであり、音響スピーカは超音波変換器によって支持されてもされなくてもよい。特に、供給は振動ホッパーから粉末トラフへと行われ、ホッパーは、好ましくはセンサにより作動される実施形態が企図される。好適な実施形態では、センサは静電容量センサである。ある実施形態では、供給は、それぞれ音波デバイスを備えるホッパーから粉末トラフへと、１００〜１０００Ｈｚの振動数を使用して行われ、ホッパーは、粉末トラフに向かって、好ましくはセンサ、特に静電容量センサにより作動される。また、２００〜９００Ｈｚ、３００〜８００Ｈｚ、４００〜７００Ｈｚ、又は５００〜６００Ｈｚの振動数を使用してもよい。
【００５５】
工程（ｂ）におけるＡＰＩの用量は、０．１ｍｇ〜５５０ｍｇ、好ましくは０．２ｍｇ〜５００ｍｇ、及び最も好ましくは０．２５ｍｇ〜４５０ｍｇの範囲内で選択されることが好適であり得る。好ましくは、工程（ｂ）におけるＡＰＩの用量は、５％未満、好ましくは４％未満、より好ましくは３％未満の相対標準偏差（ＲＳＤ）を有する。通常、工程（ｂ）におけるＡＰＩの用量は、充填質量測定技術を使用して重量検査される。例えば、ＡＰＩの用量は、ブルット−タラ秤量（ｂｒｕｔｔｏ−ｔａｒａ  ｗｅｉｇｈｉｎｇ）を使用してオフラインで重量検査され得る。しかしながら、好適な実施形態では、ＡＰＩの用量は、静電容量センサ及び／又はマイクロ波センサを使用して、特に、静電容量センサを使用することによってリアルタイムで重量検査され、１００％の充填秤量制御の達成を可能にする。この種のインライン充填質量検証は、低スループットから高スループット設備まで利用可能である。センサは、キャビティ内の２つのコンデンサプレート間を落下する粉末のマイクロ波及び／又は容量性非接触測定の原理に基づき機能する。測定中、電界の変化を取得し、粉末の充填重量に相関させる。
【００５６】
近頃の静電容量式センサはカプセル充填機械に組み込まれ、一般に、数ミリグラムの用量の粉末に対して使用されている。センサへのコンデンサの距離を低減する必要があり、より高い電界がもたらされる、センサを１ミリグラム未満の範囲に理論的に設定する手法も周知である。しかしながら、これにより、粉末パックが落下し且つ測定されるセンサチャネルの直径が小さくなる。最適化されていない粉末において、このことは、多くの場合、粉末パックがチャネルの壁に衝突する、又は更にはセンサの上縁部若しくはカプセル本体の外側に落下することにつながる。更に、一般的な粉末の分配は、多くの場合、転動するパックの形成につながり、その結果は、このような落下実体の動的測定中における不十分なセンサ読取りである。このような静電容量式センサを１ミリグラム未満の領域で使用するためには、製剤により、本発明の方法により追求及び達成されるように、断片化される又は転動することなくセンサチャネルの細い直径を通過することができる安定な粉末パック又は固有の空気伝送質量を生成する必要がある。
【００５７】
図１に、カプセル充填機械内のそのようなセンサを使用する簡略化した測定手法を示す。カプセル充填機械は、軸Ｒを中心に回転可能であり、キャビティ１２を備える真空ドラム１０を含む。キャビティ１２の少なくとも下部は、キャビティ１２内における所望の圧力の蓄積を可能にする、例えば、フィルタ材などの圧力透過性材料で作製される。キャビティ１２に粉末を充填するために、キャビティ１２を粉末貯蔵部（図示せず）の下に配置するように真空ドラム１０を回転させる。更に、キャビティ１２内に大気圧を下回る圧力が確立される。その結果、粉末が粉末貯蔵部からキャビティ１２に供給され、粉末の用量が高精度で制御され得る。その後、真空ドラム１０は図１に示される位置に回転し、キャビティ１２内に大気圧を超える圧力が確立される。その結果、キャビティ１２内で形成された粉末パック１４はキャビティ１２から排出される。キャビティ１２内で形成された粉末パック１４は、静電容量式センサ１６を通ってカプセル本体１８内に落下し、粉末充填重量のインライン測定を可能にする。
【００５８】
その場測定（ｍｅａｓｕｒｅｍｅｎｔ  ｏｎ−ｔｈｅ−ｆｌｙ）はほぼ即時であり、機械の動作振動の影響を受けず、特に、正味充填重量をリアルタイムで直接決定する。加えて、これらの測定原理はカプセルシェルの重量のばらつきとは無関係である。これらセンサは、典型的には、好ましくは、カプセル等の従来の担体又は錠剤の態様を有する特殊な担体の１００％選別、最も好ましくは、リアルタイム放出試験を監視するために使用される。これらセンサは、典型的には、担体の充填重量を決定するために使用される。これらセンサを分析的に検証するための手順が開発されている。これら検証手順は、錠剤に使用される近赤外線分光法から適応させたものであり、予測の二乗平均平方根誤差を使用するＮＩＲ対ＨＰＬＣ（ｈｉｇｈ−ｐｅｒｆｏｒｍａｎｃｅ  ｌｉｑｕｉｄ  ｃｈｒｏｍａｔｏｇｒａｐｈｙ：高速液体クロマトグラフィ）の並列１対１試験が一般的手法である。結果として、静電容量センサ及び／又はマイクロ波センサを用いたリアルタイム重量制御を使用する場合、センサは、ＨＰＬＣ又は天秤などの分析対照ツールに対して、５％未満、好ましくは４．５％未満、より好ましくは４％未満、及び最も好ましくは３．５％未満の予測の二乗平均平方根誤差（ＲＳＭＰ）を有する。
【００５９】
その後、未希釈又は修正ＡＰＩは、蓋及び胴体部材などの少なくとも２つの部材を有する従来の医薬担体内に入れられる。実施形態では、ＡＰＩは、工程（ｃ）の前に振動、振とう、又はタッピングによって医薬担体の胴体部材内で集められる。
【００６０】
担体構成要素である本体及び蓋は機械に別々に装填され、機械は、これら部品を２つの独立チャネルを通して粉末充填ステーションまでハンドリングする、方向付ける、及び搬送することができる。充填後、胴体部材と上部材は係合され、押し合わされて最終担体ユニットを形成する。
【００６１】
技術のスケールアップは、開発プロセスにおける充填試験の全段階を通して代表的且つ移行可能な結果を可能にする供給ラインの並列化によって容易に実施することができる。機器間で使用されるセンサシステムは常に同じである。この全体的な組み合わせは、様々な臨床需要及び市場需要に素早く応えることを可能にし、異なるＡＰＩに基づく広範囲の薬物製品に適応し、製造区域における小さな占有面積を使用し、薬物開発及び処理のコストを潜在的に低減する非常に柔軟な充填システムをもたらす。したがって、本開示は、医薬品を製造するための連続プロセス及び／又は高スループットプロセスにおける上記の方法の使用を想定する。この状況において、高スループットとは、少なくとも２５，０００ユニット／時間、好ましくは３０，０００ユニット超／時間、より好ましくは４０，０００ユニット超／時間、より好ましくは５０，０００ユニット超／時間、より好ましくは６０，０００ユニット超／時間、及び最も好ましくは少なくとも７０，０００ユニット／時間を意味する。
【００６２】
図３に、カプセル充填機械内の複数のセンサ１６を使用する簡略化した測定手法を示す（例えば、３つのトラック）。図１を参照して上で詳述したようにいくつかのキャビティ１２によってドラム１０内で生成された粉末パック１４は、センサ１６を通ってカプセル１８内に落下し、多数の供給ステーションにおける粉末質量のインライン測定を可能にし、個々の充填重量値を生じる。
【００６３】
医薬担体
医薬担体は、経口剤形はもとより、ドライパウダー吸入器の単回用量形態（ｍｏｎｏ−ｄｏｓｅ  ｆｏｒｍ）を含む。医薬担体は、ゼラチン又はヒプロメロースなどの材料で作られた２部品カプセルなどの従来のカプセルを含む。未希釈又は修正ＡＰＩを従来のカプセルに充填する代わりとして、ＡＰＩはまた、本明細書中に記載されるＰｒｅｓｃｉｄｏ（商標）容器などの射出成形容器に充填され得る。Ｐｒｅｓｃｉｄｏ（商標）容器はカプセルと同じように充填されるカプセルであるが、フィルムコーティングされた錠剤の外観を有する。これにより、従来のカプセル以外の剤形提示が望まれる場合に選択する販売のための追加的な提示オプションを作成する。図４（上列）は、Ｐｒｅｓｃｉｄｏ（商標）プラットフォームの様々な設計を示す。
【００６４】
図４から明らかなように、Ｐｒｅｓｃｉｄｏ（商標）容器は、異なる設計及び異なる充填容量を有してもよい。特に、容器は、例えば、容器に充填される粉末の量に基づいて適切な容器を選択できるように、様々な直径及び高さを有してもよい。容器は、典型的には、カプセル形に対して、円盤形などの錠剤形を有するように選択される。医薬担体の蓋及び下部を考えると、カプセル形は、胴体部材の中心から蓋部材の中心へと延びる中心軸に沿って細長くなっている。したがって、従来のカプセルにおいては、横方向の伸張範囲、特に蓋及び胴体部材の直径の、中心軸に沿った組立て後の蓋と胴体部材の高さに対する比は、１：１未満、例えば、０．５：１以下である。例えば、タイプ０００カプセルは、直径５．３２ｍｍ及び高さ１４．３ｍｍ（０．３７：１の比）を有し、タイプ４カプセルは、直径９．５５ｍｍ及び高さ２６．１ｍｍ（同じく、０．３７：１の比）を有する。対照的に、錠剤形の担体はより平らな形状を有し、１を超える比を有する（１：１は本質的に球体）。したがって、医薬担体は、横方向の伸張範囲、特に蓋及び胴体部材の直径の、組立て後の蓋と胴体部材の高さに対する比が、＞１、好ましくは、≧１．４、より好ましくは≧１．５、更により好ましくは、≧２、最も好ましくは、≧２．４、及び特に、≧２．５であるように好ましくは設計されている。
【００６５】
好ましくは、前記医薬担体の蓋部材と胴体部材は、相補的な閉鎖機構を有する。相補的な閉鎖機構はインターロック式スナップ機構であることが更に好ましい。この取り扱い原理は他に類を見ないものであり、医薬品粉末充填機械に対して世界で初めて実現される。
【００６６】
市販のカプセルは浸漬コーティング法により製造される。これは、ポリマー／水混合物の貯留槽を準備することと、ピンを混合物でコーティングされるように浸漬することとを含む。次いでピンを混合物から引き揚げて、ピン上のポリマー混合物を乾燥させることにより硬カプセルを形成させた後、取り外す。他方、ＰｒｅｓｃｉｄｏＴＭ担体は、射出成形により製造される。射出成形は、材料をスクリュー内で溶融させることを含み、次いでこれを使用することにより溶融物が高圧で金型内に注入され、溶融物は金型で急速に冷却された後、突き出される。この方法は浸漬コーティングと比較して多くの利点を有する。この方法は、電気的駆動装置が機械の動きを正確に制御するため極めて精密に行うことができる。そのことに加えて、温度、圧力及び金型の精密性等の工程パラメータを非常に厳しく制御することにより、均一性の高い部材が得られる。
【００６７】
加えて、射出成形を用いることにより、複雑な部材形状に対応できる自由度が広がる。浸漬成形では、カプセルの外側及び内側の形状はどちらもピンの形状により制限されるが、射出成形部材の形状は金型形状により画定され、それにより、担体のそれぞれの面に多種多様な特徴を備えることが可能になる。
【００６８】
従来のカプセルの組成は、水中に分散させた際に適正なレオロジー特性及び皮膜形成性を示すポリマーに限定される。一方、射出成形はホットメルト法であり、全く異なる特性の材料が必要となる。そのことにより、ゼラチン（動物由来、環境条件に依存して機械的性質が変化する）及びＨＰＭＣ（溶解のラグタイムがある）等の従来のカプセル材料から移行する機会と、難題（射出成形法は、所要の材料特性に関する要求が非常に厳しい）とが同時に提示される。材料は、この方法を実施する間、熱的に安定であり、溶融流動性が特に高剪断条件下において良好であり、冷却後も、装置から突き出すのに十分な可撓性を有し、本開示の用途に用いる場合は、製剤加工が可能になるような十分な機械的強度を有し、且つ水中で速やかに溶解しなくてはならない。更にこの材料は、ヒトが摂取するのに適しており、医薬用として認可されなければならない。
【００６９】
本発明者らは、ポリエチレンオキシド（ＰＥＯ）をベースとする配合物が射出成形に好適となり得ることを見出した。適正な物理化学的性質を有する配合物が得られるように、異なる分子量のＰＥＯの比について試験を行った。
【００７０】
こうした状況において、本開示は、医薬担体の射出成形のための配合を更に提供し、配合は、重量平均分子量ＭＷ９４，０００〜１８８，０００を有する１種以上のポリエチレンオキシドポリマー４３．５〜９７％（ｗ／ｗ）と、粘着防止剤３〜７％（ｗ／ｗ）と、任意選択で、１種以上の賦形剤と、を含む。
【００７１】
医薬担体の射出成形に好適な配合物の重量平均分子量はＭＷ９４，０００〜１８８，０００である。好ましい実施形態において、前記ポリエチレンオキシドポリマーの重量平均分子量は、ＭＷ９５，０００〜１８５，５００、より好ましくは、ＭＷ９７，５００〜１８３，０００、より好ましくは、ＭＷ１００，０００〜１７５，０００、より好ましくは、ＭＷ１０２，０００〜１６５，０００、より好ましくは、ＭＷ１０５，０００〜１５０，０００、一層好ましくは、１０７，５００〜１３０，０００、最も好ましくは、ＭＷ１１０，０００〜１１５，０００である。
【００７２】
前記ポリエチレンオキシドポリマーは、重量平均分子量が約ＭＷ１００，０００のポリエチレンオキシド、重量平均分子量が約ＭＷ２００，０００のポリエチレンオキシド、重量平均分子量が約ＭＷ３００，０００のポリエチレンオキシド、重量平均分子量が約ＭＷ６００，０００のポリエチレンオキシド、及び重量平均分子量がＭＷ８，０００のポリエチレンオキシドの１種又は複数種を含むことができ、好ましくはこれらから構成されることができる。この種のポリエチレンオキシドは市販されている。
【００７３】
特定の好ましい実施形態において、前記ポリエチレンオキシドポリマーは、重量平均分子量がＭＷ１００，０００である第１ポリエチレンオキシドを３５〜８０％（ｗ／ｗ）と；重量平均分子量がＭＷ２００，０００である第２ポリエチレンオキシドを４〜２８．５％（ｗ／ｗ）と、を含む。他の好ましい実施形態において、配合物は、前記第１ポリエチレンオキシドを４１〜７７．５％（ｗ／ｗ）、好ましくは４２〜７６％（ｗ／ｗ）、より好ましくは４３〜７５％（ｗ／ｗ）、より好ましくは４５〜７４％（ｗ／ｗ）、より好ましくは５０〜７４％（ｗ／ｗ）、最も好ましくは約７３．５％（ｗ／ｗ）を含むことができる。特定の好ましい実施形態において、配合物は、前記第２ポリエチレンオキシドを４〜２７．５％（ｗ／ｗ）、好ましくは５〜２５％（ｗ／ｗ）、より好ましくは６〜２２％（ｗ／ｗ）、より好ましくは１０〜２１％（ｗ／ｗ）、より好ましくは１１〜２０．５％（ｗ／ｗ）、最も好ましくは約２０％（ｗ／ｗ）を含む。
【００７４】
更なる実施形態において、医薬担体の射出成形用配合物は、粘着防止剤を３．５〜６．５％、好ましくは４〜６％（ｗ／ｗ）、一層好ましくは４．５〜５．５％（ｗｗ）、最も好ましくは約５％含む。特に好ましい粘着防止剤はタルクである。
【００７５】
一実施形態において、配合物は、１種又は複数種の着色剤及び／又は乳白剤を０〜６％（ｗ／ｗ）、好ましくは、１種又は複数種の着色剤及び／又は乳白剤を０．０１〜５％（ｗ／ｗ）、より好ましくは、１種又は複数種の着色剤及び／又は乳白剤を０．２５〜４％（ｗ／ｗ）、より好ましくは、１種又は複数種の着色剤及び／又は乳白剤を０．５〜３％（ｗ／ｗ）、より好ましくは、１種又は複数種の着色剤及び／又は乳白剤を０．７５〜２．５％（ｗ／ｗ）、より好ましくは、１種又は複数種の着色剤及び／又は乳白剤を１〜２％（ｗ／ｗ）、より好ましくは、１種又は複数種の着色剤及び／又は乳白剤を１〜１．５％（ｗ／ｗ）、最も好ましくは、１種又は複数種の着色剤及び／又は乳白剤を約１％（ｗ／ｗ）含む。
【００７６】
更に好ましくは、配合物は、酸化防止剤を０．０１〜１％（ｗ／ｗ）、好ましくは、酸化防止剤を０．０５〜０．８％（ｗ／ｗ）、より好ましくは、酸化防止剤を０．１〜０．７５％（ｗ／ｗ）、より好ましくは、酸化防止剤を０．２〜０．７％（ｗ／ｗ）、より好ましくは、酸化防止剤を０．３〜０．６％（ｗ／ｗ）、より好ましくは、酸化防止剤を０．４〜０．５％（ｗ／ｗ）、最も好ましくは、酸化防止剤を約０．５％（ｗ／ｗ）含む。
【００７７】
特定の実施形態において、配合物は、フィラーを３０〜３８％（ｗ／ｗ）、好ましくは、３２〜３８％（ｗ／ｗ）、より好ましくは、３４〜３６％（ｗ／ｗ）含み；特に、フィラーはタルクである。
【００７８】
蓋部材及び胴体部材の少なくとも一方は、厚さが１８０〜２５０μｍ、好ましくは１８５〜２２５μｍ、一層好ましくは１９０〜２２０μｍである第１壁部と、厚さが３５０〜４５０μｍ、好ましくは３７５〜４２５μｍ、より好ましくは３９０〜４１０μｍ、最も好ましくは約４００μｍである第２壁部と、を有する。
【００７９】
第１壁部の厚みは、１９０〜２２０μｍに最適化される。これは、射出成形による医薬担体の製造中に、材料が、薄肉の第１壁部内を流動して、より厚肉の壁部を有する領域である第２壁部に依然として確実に充填することができるように、十分に厚肉である一方で、充填された化合物の即時放出溶出プロファイルを達成するために必要とされる速やかな担体の崩壊を達成するのに十分に薄肉である。第２壁部は厚みを４００μｍに最適化することができる。こうすることにより、充填に利用することができるより大きい内部容積と、充填及び取扱い（充填後の開放に対する耐性を含む）に求められる機械的強度とが釣り合う。
【００８０】
蓋部材の第１壁部は蓋部材の頂部の少なくとも一部を画定することができる。好ましくは、薄肉の第１壁部が崩壊することで、医薬担体に充填された化合物が蓋部材の頂部の崩壊を介して速やか且つ確実に放出されるように、蓋部材の第１壁部は蓋部材の頂部全体を画定する。
【００８１】
蓋部材の第２壁部は蓋部材の側壁部分の少なくとも一部を画定することができる。例えば、蓋部材の第２壁部は、蓋部材の頂部に隣接するように配置された蓋部材の肩又は角を画定することができる。具体的には、蓋部材の第２壁部は、第１壁部から、即ち、特に蓋部材の頂部から、その外周に沿って、胴体部材方向に延在することができる。この設計により、蓋部材の取扱いに必要な、及び所望に応じて医薬担体を形成するようにそれを胴体部材と連結させるために必要な、機械的安定性を有する蓋部材が得られる。
【００８２】
医薬担体の好ましい実施形態において、胴体部材の第１壁部は胴体部材の底部の少なくとも一部分を画定する。好ましくは、胴体部材の第１壁部は、薄肉の第１壁部が崩壊すると、医薬担体に充填されていた化合物が胴体部材の底部の崩壊を介して速やか且つ確実に放出されるように、胴体部材の底部全体を画定する。
【００８３】
胴体部材の第２壁部は、胴体部材の側壁部分の少なくとも一部分を画定することができる。具体的には、胴体部材の第２壁部は、第１壁部から、即ち、特に胴体部材の底部から、その外周に沿って、蓋部材の方向に延在することができる。好ましくは、胴体部材の第２壁部の高さは、蓋部材の第２壁部の高さよりも高い。換言すれば、医薬担体の好ましい実施形態において、胴体部材は中空の略円筒形状を有しており、したがって、医薬化合物を充填することができる「器（ｖｅｓｓｅｌ）」を画定する。一方、蓋部材は、略「平坦」形状を有することができる蓋部材の頂部を囲む単なる肩又は角を画定する第２壁部を備えることができる。第２壁部の壁の厚みが第１壁部よりも厚いため、胴体部材に機械的強度及び安定性が付与され、それにより、胴体部材に医薬化合物を制約なしに充填することが可能になる。
【００８４】
好ましい実施形態において、蓋部材及び胴体部材は相補的な閉鎖機構により互いに連結している。相補的な閉鎖機構は、蓋部材及び胴体部材の間の連結を確実且つ容易に確立する。
【００８５】
より具体的には、閉鎖機構は、蓋部材の第２壁部から突出している第２スナップ部と対面して相互作用するように、胴体部材の第２壁部から突出している、第１スナップ部を含むことができる。医薬担体を閉鎖する際は、即ち、蓋部材を胴体部材に連結する際は、第１及び第２スナップ部の少なくとも一方が弾性変形することができる。蓋部材及び胴体部材がそれらの最終的な相対的位置に到達したら、即ち、蓋部材が胴体部材の内部を所望により封止するように胴体部材の上部に配置されたら、蓋部材及び胴体部材が確実に連結されるように、スナップ部が互いに完全な状態となる（ｉｎｔａｃｔ  ｗｉｔｈ  ｅａｃｈ  ｏｔｈｅｒ）ような形で、第１及び第２スナップ部の少なくとも一方の弾性変形は解放されることができる。
【００８６】
例えば、第１スナップ部は突出部を含むことができ、この突出部は、第１スナップ部及び第２スナップ部の分離、したがって、蓋部材及び胴体部材の分離に抵抗するように、第２スナップ部に設けられた対応する突出部と係合するように構成されている。特に、第１スナップ部の突出部は、胴体部材と対面する第１突き合わせ面を含むことができ、第１突き合わせ面は、第２スナップ部上に形成された第２突き合わせ面と当接し、胴体部材及び蓋部材が互いに連結された際に蓋部材と対面するように構成されている。第１スナップ部上に形成された第１突き合わせ面は、胴体部材の側壁部分に対し９０〜１５０°の角度で延在することができる。第２スナップ部上に形成された第２突き合わせ面は、蓋部材の側壁部分に対し９０〜１５０°の角度で延在することができる。
【００８７】
第１スナップ部に設けられた突出部は、第１傾斜係合面を形成するように、第１スナップ部の自由端方向に先細りさせることができる。第１傾斜係合面は、第２スナップ部に設けられた突出部上に形成された、自由端方向に先細りしている第２スナップ部の第２傾斜係合面と係合するように構成することができる。医薬担体の蓋部材を胴体部材に連結すると、第２傾斜係合面は第１傾斜係合面に沿って摺動することができ、したがって、第１スナップ部に設けられた突出部を第２スナップ部に設けられた対応する突出部と係合させるように案内する。それにより、蓋部材の胴体部材への連結が簡素化される。
【００８８】
第１及び第２スナップ部の一方は、蓋部材又は胴体部材の第２壁部から第２壁部の内周領域に突出することができ、その場合、第１及び第２スナップ部の他方は、蓋部材又は胴体部材の第２壁部から胴体部材の第２壁部の外周領域に突出することができる。好ましくは、医薬担体の胴体部材に設けられた第１スナップ部は、胴体部材の第２壁部から第２壁部の内周領域に延在している。このように設計された第１スナップ部は、蓋部材の特に肩又は角形状の第２壁部から蓋部材の第２壁部の外周領域に突出している第２スナップ部と相互作用させるのに特に適している。
【００８９】
閉鎖機構は、蓋部材又は胴体部材の第２壁部から第２壁部の内周領域に突出している内リブを更に含むことができ、内リブは、蓋部材又は胴体部材の第２壁部から第２壁部の外周領域に突出している第１又は第２スナップ部から離れている。特に閉鎖機構は、蓋部材の第２壁部からその内周領域に突出している内リブを含むことができ、したがって、内リブは、蓋部材の特に肩又は角形状の第２壁部からその外周領域に突出している第２スナップ部とは離れている。その結果として、内リブ及び第２スナップ部は、それらの間に、医薬担体の蓋部材及び胴体部材が互いに連結された際に第１スナップ部を収容するように構成された間隙を画定する。蓋部材及び胴体部材が連結された状態において、第１スナップ部は、第２スナップ部と相互作用することにより、即ち、特に第１スナップ部上に形成された第１突き合わせ面と第２スナップ部上に形成された第２突き合わせ面とが相互作用することにより、内リブ及び第２スナップ部の間の隙間の所定位置に配置され、それと同時に、内リブは、閉鎖機構に更なる機械的安定性及び剛直性を付与する。
【００９０】
但し、特に、胴体部材に設けられた第１スナップ部が、胴体部材の第２壁部からその外周領域に突出しており、蓋部材の第２壁部からその内周領域に突出している第２スナップ部と相互作用するように構成されている場合は、医薬担体の胴体部材に内リブを設けることも想定される。その場合、内リブ及び第１スナップ部は、それらの間に、医薬担体の蓋部材及び胴体部材が互いに連結された際に第２スナップ部を収容するように構成された間隙を画定することができる。
【００９１】
好ましくは、内リブは、内リブの反対側に配置されているスナップ部よりも長さが短い。換言すれば、好ましくは、スナップ部は、内リブと一緒になって、蓋部材又は胴体部材の第２壁部から内リブよりも遠方まで突出している他方のスナップ部を収容するための間隙を画定する。更に内リブは、第３傾斜係合面を形成するように、内リブの自由端方向に先細りしていてもよく、第３傾斜係合面は、蓋部材又は胴体部材の第２壁部から第２壁部の外周領域に突出しており、したがって内リブと対向するように配置された第１又は第２スナップ部と対面する。好ましくは、内リブ上に設けられた第３傾斜係合面は、内リブの反対側に配置されたスナップ部の突出部上に設けられた突き合わせ面と実質的に平行に延在している。こうすることにより、医薬担体の蓋部材及び胴体部材が連結される際に、内リブ及び内リブの反対側に配置されたスナップ部の間に画定された間隙に収容されるように構成されたスナップ部が、内リブの反対側に配置されたスナップ部と係合するように案内される。加えて、内側リブは、スナップ式閉鎖部を安定させ、開かないようにする。
【００９２】
医薬担体の好ましい一実施形態において、蓋部材の第１壁部は、特に、蓋部材製造時に金型に材料を注入する点で定められる領域に、凹部が設けられている。この凹部の壁の厚みは、第１壁部の残りの部分の壁の厚みよりも厚くてもよいが、蓋部材の第２壁部の壁の厚みよりも薄い。例えば、凹部は蓋部材の頂部の中央領域に配置することができる。多数個取り成形用金型で射出成形法を行う際に、蓋部材が成形されたキャビティを示す記号を、表面、特に凹部の内面に刻印してもよい。こうすることにより、厳格な重量均一性が求められる用途には、蓋部材をキャビティ別に自動的に選別することが可能になる。
【００９３】
これに替えて、又はこれに加えて、胴体部材の第１壁部、特に、胴体部材製造時に金型に材料を注入する点で定められる領域に、凹部が設けられる。この凹部の壁の厚みは、第１壁部の残りの部分の壁の厚みよりも厚くてもよいが、蓋部材の第２壁部の厚みよりも薄い。例えば、凹部は胴体部材の底部の中央領域に配置することができる。多数個取り成形用金型で射出成形法を行う際に、胴体部材が成形されたキャビティを示す記号を、表面、特に凹部の内面に刻印してもよい。こうすることにより、厳格な重量均一性が求められる用途には、胴体部材をキャビティ別に自動的に選別することが可能になる。
【００９４】
蓋部材及び胴体部材の少なくとも一方は、その内面領域に、第２壁部の内面から及び／又は内リブの内面から、内側に向けて半径方向に突出する、複数の内部突出部を設けることができる。内部突出部が設けられた蓋部材又は胴体部材に内リブも設けられている場合、内部突出部は、蓋部材の頂部から又は胴体部材の底部から、蓋部材又は胴体部材の中心軸方向に、胴体部材の蓋部材の第２壁部に沿って、そして最終的に、第２壁部からその内周領域に突出している内リブに沿って、延在することができる。内部突出部が設けられた胴体部材の蓋部材が内リブを含まない場合、内部突出部は、蓋部材の頂部から又は胴体部材の底部から、蓋部材又は胴体部材の中心軸方向に、蓋部材又は胴体部材の第２壁部に沿って延在することができる。内部突出部の少なくとも１つ、特にそれぞれは、第２壁部及び／又は内リブを超えて（ｂｅｙｏｎｄ）突出している突出ノーズを含むことができる。
【００９５】
内部突出部は、特に突出ノーズが設けられている場合、「入れ子（ｎｅｓｔｉｎｇ）」と称される現象、即ち、積み重ねた部材及び／又は胴体部材がくっつく現象が低減される。こうすることにより、積み重ねた部材の、分離が困難な「入れ子」により引き起こされ得る、手作業又は自動化作業による取扱い時の問題を解消することができる。
【００９６】
医薬担体の好ましい実施形態において、胴体部材には角度の付いた張り出し部が設けられている。角度の付いた張り出し部は、胴体部材の第２壁部の外面領域、特に、第１スナップ部に隣接する領域に形成することができる。角度の付いた張り出し部は、第１スナップ部の外周から第２壁部の外面に向けて外側に半径方向に傾斜させることができる。医薬担体の充填時又は閉鎖時に、胴体部材の張り出し部上に意図せず落下してしまった医薬担体に充填すべき紛体状化合物を容易に取り除くことができる。
【００９７】
例示的な医薬担体２０を図５、図６Ａ、及び図６Ｂに示す。担体２０は、蓋部材２２及び胴体部材２４を含む。図５の左側及び図６Ａに示す蓋部材２２は、蓋部材２２の頂部を画定する第１壁部２６と、蓋部材２２の側壁部分を画定する第２壁部２８とを含む。特に、蓋部材２２の第２壁部２８は、蓋部材２２の頂部に隣接して配置されている蓋部材２２の肩又は角を画定する。具体的には、蓋部材２２の第２壁部２８は、蓋部材２２の頂部から、その外周に沿って、胴体部材２４の方向に向かって延在している。第１壁部２６の壁の厚みは第２壁部２８の壁の厚みよりも薄い。図５に示す担体２０の好ましい実施形態において、第１壁部２６の壁の厚みは１９０〜２２０μｍであり、一方、第２壁部２８の壁の厚みは約４００μｍである。
【００９８】
同様に、図５の右側に示す胴体部材２４は、胴体部材２４の底部を画定する第１壁部３０と、胴体部材２４の側壁部分を画定する第２壁部３２とを含む。胴体部材２４の第２壁部３２は、胴体部材２４の底部から、その外周に沿って、蓋部材２２の方向に向かって延在している。第１壁部３０の壁の厚みは第２壁部３２の壁の厚みよりも薄い。図５に示す担体２０の好ましい実施形態において、第１壁部３０の壁の厚みは１９０〜２２０μｍであり、一方、第２壁部３２の壁の厚みは約４００μｍである。
【００９９】
蓋部材２２及び胴体部材２４は、図５及び図６Ｂの詳細図に詳細に例示されている相補的な閉鎖機構３４により互いに連結している。閉鎖機構３４は、胴体部材２４の第２壁部３２から第２壁部３２の内周領域に突出している第１鉤形状スナップ部３６を含む。第１鉤形状スナップ部３６は、蓋部材２２の第２壁部２８から第２壁部２８の外周領域に突出している、対応する形状を有する第２鉤形状スナップ部３８と対面して相互作用する。しかしながら、閉鎖機構３４に、胴体部材２４の第２壁部３２から第２壁部３２の外周領域に突出している第１スナップ部３６と、蓋部材２２の第２壁部２８から第２壁部２８の内周領域に突出している第２スナップ部３８とを設けることも想定できるであろう。
【０１００】
図５及び図６Ｂに示す詳細図から分かるように、第１スナップ部３６は突出部３７を含み、突出部３７は、蓋部材２２及び胴体部材２４が連結する際に、第２スナップ部３８に設けられた対応する突出部３９と係合するように構成されている。第１スナップ部３６の突出部３７は、胴体部材２４と対面する第１突き合わせ面４１を含む。同様に、蓋部材２２の突出部３９は、蓋部材２２と対面する第２突き合わせ面４３を含む。第１スナップ部３６の突出部３７上に形成された第１突き合わせ面４１は、胴体部材２４の側壁部分に対し約１３５°の角度で延在している。第２スナップ部３８の突出部３９上に形成されている第２突き合わせ面４３は、蓋部材２２の側壁部分に対し約１３５°の角度で延在している。更に、第１スナップ部３６に設けられた突出部３７は、第１傾斜係合面４５を形成するように、第１スナップ部３６の自由端の方向に向かって先細りしている。同様に、第２スナップ部３８に設けられた突出部３９も、第２傾斜係合面４７を形成するように第１スナップ部３６の自由端の方向に向かって先細りしている。
【０１０１】
閉鎖機構３４は、蓋部材２２の肩又は角形状の第２壁部２８から第２壁部２８の内周領域に突出している内リブ４０を更に含む。したがって内リブ４０は、蓋部材２２の第２壁部２８から突出しており、蓋部材２２の第２壁部２８から第２壁部２８の外周領域に突出している第２スナップ部３８と離れている。こうすることにより、内リブ４０及び第２スナップ部３８は、それらの間に、医薬担体２０の蓋部材２２及び胴体部材２４が互いに連結されると、第１スナップ部３６を収容するように構成された間隙を画定する。但し、蓋部材２２に、第２壁部２８の内周領域に配置された第２スナップ部３８が設けられており、第２スナップ部３８が、胴体部材２４の第２壁部３２の外周領域に配置されている第１スナップ部３６と相互作用するようになっている場合は、閉鎖機構３４が、胴体部材２４の第２壁部３２から第２壁部３２の内周領域に突出している内リブ４０を含むことも想定される。その場合、第１スナップ部３６は、内リブ４０と一緒になって、医薬担体２０の蓋部材２２及び胴体部材２４が互いに連結されると、第２スナップ部３８を収容するように構成された間隙を画定する。
【０１０２】
内リブ４０は、内リブ４０の反対側に配置されている第２スナップ部３８よりも長さが短い、即ち、第２スナップ部３８は、蓋部材２２の第２壁部２８から、内リブ４０よりも遠方まで突出している。更に内リブ４０は、第３傾斜係合面４９を形成するように、内リブ４０の自由端の方向に向かって先細りしており、第３傾斜係合面４９は、蓋部材２２の第２壁部２８から第２壁部２８の外周領域に、内リブ４０の反対側に突出している第２スナップ部３８と対面している。第３傾斜係合面４９は、内リブ４０の反対側に配置された第２スナップ部３８の突出部３９上に設けられた第２突き合わせ面４３と実質的に平行に延在している。蓋部材２２に、第２壁部２８の内周領域に配置されている第２スナップ部３８が設けられており、第２スナップ部３８が、胴体部材２４の第２壁部３２の外周領域に配置されている第１スナップ部３６と相互作用するようになっている場合は、内リブ４０上に形成されている第３傾斜係合面４９は、胴体部材２４の第２壁部３２から第２壁部３２の外周領域に、内リブ４０と対向するように突出している、第１スナップ部３６と対面することができる。
【０１０３】
医薬担体２０を閉鎖すると、即ち、蓋部材２２を胴体部材２４に連結すると、第１スナップ部３６の突出部３７上に設けられた第１傾斜係合面４５は、第２スナップ部３８の突出部３９上に設けられた第２傾斜係合面４７と接触する。蓋部材２２が胴体部材２４に接近すると、第２傾斜係合面４７は第１傾斜係合面４５に沿って摺動し、その結果として、第１及び第２スナップ部３６、３８が僅かに弾性変形する。具体的には、第１スナップ部３６は内側に向けて半径方向に僅かに屈曲し、一方、第２スナップ部３８は、外側に向けて半径方向に僅かに屈曲する。但し、第１スナップ部３６の内側への屈曲は、内リブ４０により制限される。更に、内リブ４０上に設けられた第３傾斜係合面４９は、第２スナップ部３８を、その最終位置である、第２スナップ部３８及び内リブ４０の間に画定された間隙に案内する。図６Ｂを参照されたい。
【０１０４】
蓋部材２２及び胴体部材２４がそれらの最終的な相対的位置に達したら、即ち、蓋部材２２が胴体部材２４の内部を封止するように胴体部材２４の上部に配置されたら、第１及び第２スナップ部３６、３８の弾性変形は解放され、第１スナップ部３６の突出部３７上に設けられた第１突き合わせ面４１は、第２スナップ部３８の突出部３９上に設けられた第２突き合わせ面４３に当接する。第１及び第２突き合わせ面４１、４３が相互作用することにより、胴体部材２４及び蓋部材２２の分離に接触する。内リブ４０により、閉鎖機構３４の機械的安定性及び剛直性が増大する。
【０１０５】
蓋部材２２の第１壁部２６には、蓋部材２２の製造時に金型に材料を注入する点で定められる中央領域に、凹部４２が設けられており、凹部４２の壁の厚みは、第１壁部２６の残りの部分の壁の厚みよりも厚いが、蓋部材２２の第２壁部２８の壁の厚みよりは依然として薄い。凹部４２の内面には数字（図面では、番号「１」）が刻印されており、これは、蓋部材２２を多数個取り成形用金型で成形した際のキャビティを示すものである。同様に、胴体部材２４の第１壁部３０にも、胴体部材２４の製造時に金型に材料を注入する点で定められる中央領域に、凹部４４が設けられており、凹部４４の壁の厚みは、第１壁部３０の残りの部分の壁の厚みよりも厚いが、胴体部材２４の第２壁部３２の壁の厚みよりも依然として薄い。凹部４４の内面には、胴体部材２４を多数個取り成形用金型で成形した際のキャビティを示す数字（図示しない）が刻印されている。
【０１０６】
図６Ａから分かるように、蓋部材２２には、第２壁部２８の内面から、及び内リブ４０の内面から、それぞれ、内側に向けて半径方向に突出している複数の内部突出部４６が更に設けられている。図に示す蓋部材２２の特定の実施形態においては、３個の内部突出部４６が設けられている。しかしながら、蓋部材２２に３個未満又は３個を超える内部突出部４６を設けることも想定される。内部突出部４６は、取扱い時に積み重なった部材２２が嵌り込む（ｊａｍｍｉｎｇ）のを防ぐ役割を果たす。内部突出部４６は、それぞれ、内リブ４０から突出しているノーズ４８を含み、ノーズ４８は、積み重なった部材２２が嵌り込むリスクを更に低減させる。図面に例示した担体２０の実施形態においては、蓋部材２２のみに内部突出部４６が設けられている。しかしながら、これに替えて、又はこれに加えて、担体２０の胴体部材２４に本明細書に記載した内部突出部を設けることも想定される。
【０１０７】
最後に、図６Ｂから分かるように、胴体部材２４には、第２壁部３２の外面領域に、第１鉤形状スナップ部３６に隣接して形成されている、角度のついた張り出し部５０が設けられており、張り出し部５０は、鉤形状スナップ部３８の外周から第２壁部３２の外面に向けて外側の半径方向に傾斜している。担体２０を閉鎖する際に張り出し部５０上に意図せず落下した紛体を容易に除去することができる。
【０１０８】
有利には、医薬担体の各部材の質量の標準偏差は、１ｍｇ未満、好ましくは０．８ｍｇ未満、より好ましくは０．６ｍｇ未満、更に好ましくは０．４ｍｇ未満、一層好ましくは０．３ｍｇ未満、より一層好ましくは０．２ｍｇ未満、最も好ましくは０．１ｍｇ未満である。
【０１０９】
更に本発明を、次に示す実施形態により説明する。
【０１１０】
１．（ａ）ＦＴ４パウダーレオメータの使用により決定された以下のパラメータ（ｉ）〜（ｖｉｉｉ）、
（ｉ）特定基本流動エネルギー（ｓＢＦＥ）が最大で６０ｍＪ／ｇ、
（ｉｉ）安定性指標（ＳＩ）が０．７５〜１．２５、
（ｉｉｉ）比エネルギー（ＳＥ）が最大で１０ｍＪ／ｇ、
（ｉｖ）１５ｋＰａでの最大原理応力（ｍａｊｏｒ  ｐｒｉｎｃｉｐｌｅ  ｓｔｒｅｓｓ）（ＭＰＳ−１５）が最大で４０、
（ｖ）１５ｋＰａでの流れ関数（ＦＦ−１５）が少なくとも１．３、
（ｖｉ）１５ｋＰａでの圧縮後のかさ密度（ＣＢＤ−１５）が少なくとも０．２６ｇ／ｍＬ、
（ｖｉｉ）圧縮率が最大で４７％、及び
（ｖｉｉｉ）壁摩擦角（ＷＦＡ）が最大で４０°、
のうちの少なくとも５つに適合する医薬品有効成分（ＡＰＩ）を用意する工程と、
（ｂ）工程（ａ）のＡＰＩを真空アシスト式測定及び充填デバイスを使用して医薬担体の胴体部材に分配する工程と、
（ｃ）前記医薬担体の胴体部材を前記医薬担体の相補的な蓋部材で覆い、それにより医薬品を生産する工程と、
を含む医薬品の調製方法。
【０１１１】
２．（ｉ）ｓＢＦＥは最大で２５ｍＪ／ｇ、特に、最大で６ｍＪ／ｇ、及び／又は
（ｉｉ）ＳＩは０．８３〜１．１８、特に、０．９〜１．１、及び／又は
（ｉｉｉ）ＳＥは最大で８ｍＪ／ｇ、特に、最大で６ｍＪ／ｇ、及び／又は
（ｉｖ）ＭＰＳ−１５は最大で３３、特に、最大で２５、及び／又は
（ｖ）ＦＦ−１５は少なくとも３、特に、少なくとも１０、及び／又は
（ｖｉ）ＣＢＤ−１５は少なくとも０．４５ｇ／ｍＬ、特に、少なくとも０．６ｇ／ｍＬ、及び／又は
（ｖｉｉ）圧縮率は最大で３５％、特に、３〜１５％、及び／又は
（ｖｉｉｉ）ＷＦＡは最大で３４°、特に、最大で２８°
である、実施形態１に記載の方法。
【０１１２】
３．パラメータ（ｉ）〜（ｖｉｉｉ）は、ＦＴ４パウダーレオメータ、及び測定シリンダ直径当たりの粉末キャラクタリゼーション方法、
（ｉ）２５ｍｍ＿１Ｃ＿Ｓｐｌｉｔ＿Ｒｅｐ＋ＶＦＲ＿Ｒ０１、
（ｉｉ）２５ｍｍ＿Ｓｈｅａｒ＿１５ｋＰａ、
（ｉｉｉ）２５ｍｍ＿Ｃｏｍｐｒｅｓｓｉｂｉｌｉｔｙ＿１−１５ｋＰａ、及び
（ｉｖ）２５ｍｍ＿Ｗａｌｌ  Ｆｒｉｃｔｉｏｎ＿３０ｋＰａ
を使用することにより決定される、実施形態１又は２に記載の方法。
【０１１３】
４．真空アシスト式測定及び充填デバイスは回転可能なドラム（１０）である、実施形態１〜３のいずれか１つに記載の方法。
【０１１４】
５．真空は、−１００〜−８００ｍＢａｒでドラムキャビティ内に適用される、及び／又はＡＰＩは、１００〜１５００ｍＢａｒの排出圧力で分配される、実施形態４に記載の方法。
【０１１５】
６．真空アシスト式測定及び充填デバイスは回転可能なドラム（１０）であり、ＡＰＩの測定及び分配を補助するためにスターラ又は音波／超音波デバイスのいずれかを備える、実施形態４又は５に記載の方法。
【０１１６】
７．真空アシスト式測定及び充填デバイスはスターラを備え、スターラは、１サイクル当たり１〜４回転に設定される、実施形態６に記載の方法。
【０１１７】
８．真空アシスト式測定及び充填デバイスは、音波／超音波デバイス、特に、回転可能なドラムのキャビティに入る粉末のマイクロブリッジングを押して破壊するポゴ又はポールを備え、特に、ポゴ又はポールは、１００００Ｈｚ〜１８０，０００Ｈｚ、好ましくは約２２，０００Ｈｚの振動数を適用する、実施形態６に記載の方法。
【０１１８】
９．（ｉ）ＭＰＳ−１５が２８以下、及び／又はＷＦＡが３１以下である場合、ＡＰＩは、ＡＰＩの測定及び分配を補助するために音波／超音波デバイスを備える真空アシスト式測定及び充填デバイスと併せて使用するのに適しており、
（ｉｉ）ＳＩが１．１を超える場合、ＡＰＩは、ＡＰＩの測定及び分配を補助するためにスターラを備える真空アシスト式測定及び充填デバイスと併せて使用するのには適していない、実施形態６〜８のいずれか１つに記載の方法。
【０１１９】
１０．真空アシスト式測定及び充填デバイスは流動化デバイス、特に音響スピーカ、更には超音波変換器を備えた粉末トラフを含む、実施形態４〜８のいずれか１つに記載の方法。
【０１２０】
１１．供給は、振動ホッパーから粉末トラフへと行われ、ホッパーは、粉末トラフに向かって、好ましくはセンサ、特に静電容量センサにより作動される、実施形態１０に記載の方法。
【０１２１】
１２．供給は、それぞれ音波デバイスを備えるホッパーから粉末トラフへと、１００〜１０００Ｈｚの振動数を使用して行われ、ホッパーは、粉末トラフに向かって、好ましくはセンサ、特に静電容量センサにより作動される、実施形態１１に記載の方法。
【０１２２】
１３．ＡＰＩの用量は、充填質量測定技術を使用して重量検査される、実施形態１〜１２のいずれか１つに記載の方法。
【０１２３】
１４．ＡＰＩの用量は、静電容量センサ及び／又はマイクロ波センサ（１６）を使用して、特に、静電容量センサを使用することによってリアルタイムで重量検査される、実施形態１３に記載の方法。
【０１２４】
１５．センサ（１６）は、ＨＰＬＣ又は天秤などの分析対照ツールに対して、５％未満、好ましくは４．５％未満、より好ましくは４％未満、及び最も好ましくは３．５％未満の予測の二乗平均平方根誤差（ＲＭＳＰ）を有する、実施形態１４に記載の方法。
【０１２５】
１６．ＡＰＩの用量は、ブルット−タラ秤量を使用してオフラインで重量検査される、実施形態１３に記載の方法。
【０１２６】
１７．ＡＰＩは、最大で５％（ｗ／ｗ）、好ましくは最大で４％（ｗ／ｗ）、より好ましくは最大で３％（ｗ／ｗ）、更により好ましくは最大で２％（ｗ／ｗ）、及び最も好ましくは最大で１％（ｗ／ｗ）の添加剤を含む、実施形態１〜１６のいずれか１つに記載の方法。
【０１２７】
１８．１種以上の添加剤は、疎水性コロイド二酸化ケイ素、親水性コロイド二酸化ケイ素，ステアリン酸マグネシウム、ステアリン酸、フマル酸ステアリルナトリウム、ラウリル硫酸ナトリウム、ポロキサマー１８８、水素化植物油、又はそれらの任意の組み合わせの群から選択される、実施形態１７に記載の方法。
【０１２８】
１９．工程（ａ）は、ＡＰＩの篩分を更に含み、篩分は、円錐形篩分機器による篩分、振動篩分、又は超音波振動によりアシストされたスクリーン篩分から選択される、実施形態１〜１８のいずれか１つに記載の方法。
【０１２９】
２０．工程（ｂ）におけるＡＰＩの用量は、０．１ｍｇ〜５５０ｍｇ、好ましくは０．２ｍｇ〜５００ｍｇ、及び最も好ましくは０．２５ｍｇ〜４５０ｍｇの範囲内である、実施形態１〜１９のいずれか１つに記載の方法。
【０１３０】
２１．工程（ｂ）におけるＡＰＩの用量は、５％未満、好ましくは４％未満、より好ましくは３％未満の相対標準偏差（ＲＳＤ）を有する、実施形態１〜２０のいずれか１つに記載の方法。
【０１３１】
２２．ＡＰＩは、工程（ｃ）の前に振動、振とう、又はタッピングによって医薬担体の胴体部材内で集められる、実施形態１〜２１のいずれか１つに記載の方法。
【０１３２】
２３．医薬担体（２０）の蓋部材（２２）及び胴体部材（２４）のうちの少なくとも１つは、１８０〜２５０μｍ、好ましくは１８５〜２２５μｍ、及び更により好ましくは１９０〜２２０μｍの厚さを有する第１壁部（２６，３０）と、３５０〜４５０μｍ、好ましくは３７５〜４２５μｍ、より好ましくは３９０〜４１０μｍ、及び最も好ましくは約４００μｍの厚さを有する第２壁部（２８，３２）と、を有する、実施形態１〜２２のいずれか１つに記載の方法。
【０１３３】
２４．蓋部材（２２）と胴体部材（２４）は、相補的な閉鎖機構（３４）によって互いに接続され、
特に、閉鎖機構（３４）は、蓋部材（２２）の第２壁部（２８）から突出する第２スナップ部（３８）に面し、これと相互作用するように、胴体部材（２４）の第２壁部（３２）から突出する第１スナップ部（３６）を含み、
特に、第１スナップ部（３６）は、第１スナップ部（３６）と第２スナップ部（３８）の分離、ゆえに、蓋部材（２２）と胴体部材（２４）の分離を防止するように、第２スナップ部（３８）上に設けられた対応する突出部（３９）と係合するように適合された突出部（３７）を含み、
更に特に、第１スナップ部（３６）上に設けられた突出部（３７）は、第２スナップ部（３６）の自由端部の方向にテーパする第２スナップ部（３８）上に設けられた突出部（３９）上に形成された第２の傾斜係合面（４７）と係合するように適合された第１の傾斜係合面（４５）を形成するように、第１スナップ部（３６）の自由端部の方向にテーパし、
最も好ましくは、第１スナップ部及び第２スナップ部（３６，３８）のうちの１つは、第２壁部（２８，３２）の内周の領域内において蓋部材（２２）又は胴体部材（２４）の第２壁部（２８，３２）から突出し、第１スナップ部及び第２スナップ部（３６，３８）のうちのもう一方は、第２壁部（２８，３２）の外周の領域内において蓋部材（２２）又は胴体部材（２４）の第２壁部（２８，３２）から突出する、
実施形態１〜２３のいずれか１つに記載の方法。
【０１３４】
２５．閉鎖機構（３４）は、蓋部材（２２）又は胴体部材（２４）の第２壁部（２８）から第２壁部（２８、３２）の内周領域に突出している内リブ（４０）を更に含み、内リブ（４０）は、蓋部材（２２）又は胴体部材（２４）の第２壁部（２８、３２）から第２壁部（２８、３２）の外周領域に突出している第１又は第２スナップ部（３６、３８）から離れており；
特に、内リブ（４０）は、第３傾斜係合面（４９）を形成するように内リブ（４０）の自由端の方向に向かって先細りしており、第３傾斜係合面（４９）は、蓋部材（２２）又は胴体部材（２４）の第２壁部（２８、３２）から第２壁部（２８、３２）の外周領域に突出している第１又は第２スナップ部（３６、３８）と対面している、実施形態２４に記載の方法。
【０１３５】
２６．胴体部材（２４）には、胴体部材（２４）の第２壁部（３２）の外面領域に、特に第１スナップ部（３６）に隣接して形成されている、角度のついた張り出し部（５０）が設けられており、張り出し部（５０）は、特に第１スナップ部（３６）の外周から第２壁部（３２）の外面に向かって、外側の半径方向に傾斜している、実施形態１〜２５のいずれか一つに記載の方法。
【０１３６】
２７．連続プロセスにおける、実施形態１〜２６のいずれか１つに記載の方法の使用。
【０１３７】
２８．医薬品を製造するための高スループットプロセスにおける、実施形態１〜２６のいずれか１つに記載の方法の使用。
【０１３８】
以下、実施形態において定義した本発明を以下に示す実施例により更に例示するが、これらは本発明の範囲を限定することを意図するものではない。本明細書に引用する全ての引用文献を、本明細書の一部を構成するものとしてここに援用することを明記する。
【実施例】
【０１３９】
標準ＦＴ４パウダーレオメータは、少なくとも６つの粉末キャラクタリゼーション方法（測定シリンダ直径当たりの）を提供する。分析のために選択したものは以下の通りである。
２５ｍｍ＿１Ｃ＿Ｓｐｌｉｔ＿Ｒｅｐ＋ＶＦＲ＿Ｒ０１、
２５ｍｍ＿Ｓｈｅａｒ＿１５ｋＰａ、
２５ｍｍ＿Ｃｏｍｐｒｅｓｓｉｂｉｌｉｔｙ＿１−１５ｋＰａ、
２５ｍｍ＿Ｗａｌｌ  Ｆｒｉｃｔｉｏｎ＿３０ｋＰａ。
【０１４０】
各キャラクタリゼーション方法は数種類の応答パラメータ（デフォルト又は手動で選択可能）を生成する。３５０を超える異なる粉末及び６０を超える異なる化合物について、標準ＦＴ４パウダーレオメータを使用し、一連の完全な粉末キャラクタリゼーション（１列につき少なくとも２２個の応答パラメータ）を測定し、データベースにコンパイルした。粉末の充填挙動を識別及び予測することができる一連のパラメータ及びパラメータ範囲を決定するために、様々なパラメータを各充填挙動に相関させた。以下の８パラメータモデルが得られた。
【０１４１】
【表２】
2020535880.tif 000004
【０１４２】
パラメータは以下の通り。
ｓＢＦＥ：特定基本流動エネルギー（ｍＪ／ｇ）：ＢＦＥ（標準ＦＴ４試験プラットフォームから得られる）をサンプルの分割質量で除して得られる。
ＳＩ：安定性指標、標準変数、無次元。
ＳＥ：比エネルギー（ｍＪ／ｇ）、標準変数
ＭＰＳ＠１５ｋＰａ：最大主応力、標準変数
ＦＦ＠１５ｋＰａ：流れ関数（無次元）、せん断セルによる、標準変数
ＣＢＤ＠１５ｋＰａ：圧縮後のかさ密度（ｇ／ｍＬ）、標準変数（せん断セルによる）
ＣＰＳ：圧縮率（％）、標準変数
ＷＦＡ：壁摩擦角（度）、標準変数。
【０１４３】
パラメータの４つが指示範囲外である場合、粉末は、製造性の観点において境界線にあると予測される。パラメータの４つより多くが指示範囲外である場合、ここで未希釈ＡＰＩとして記載される粉末は任意の自動機械においておそらく及び事実上加工できない。更に、ＭＰＳが非常に高く、且つそれよりも低くはあるがＷＦＡも高い場合、粉末は充填及び供給デバイス内に蓄積しやすくなることが見出された。これは音波／超音波充填技術の負の特性である。その一方で、ＳＩが高すぎる場合、粉末が時間の経過とともにその特性を変化させ、粉末がせん断力に対してより敏感になる。このような粉末は、スターラを使用する標準的な真空ドラム充填技術における加工性が低下する。
【０１４４】
見出された「８パラメータモデル」は、データベースの中から粉末の充填挙動を識別及び予測することができ、また、少なくとも４０％の粉末についてカプセル充填設備における実験応答／スコアが報告される。以下のケースでは、未希釈ＡＰＩとして供給するのに適した粉末を予測し、その開発を推進するための８パラメータモデルの性能を実証する。太字の数字は望ましい範囲の外にある。
【０１４５】
【表３】
2020535880.tif 000005
【０１４６】
これら粉末の大半については、以下の実施例で説明する。
【０１４７】
実施例１
ＬＥＥ０１１を含む医薬製品の大量生産が、そうした化合物の開発ライフサイクルの初期段階から求められた。ＡＰＩのいくつかのバッチを結晶化し、篩分し、ここで説明する両タイプの真空ドラム設備、即ち標準的な充填機及び音波充填機を使用する設備プラットフォームプラットフォームによってカプセルに充填した。使用した粉末種類の大半の充填性能は特に用量均一性（用量範囲１０〜２５０ｍｇ）の点において十分に良好であったが、機械ホッパー内の粉末挙動／流動性、及び動作中の部品間の摩擦発生は、平均的に、非常に長期間の運転中にいくらかの課題及びプロセス停止時間を引き起こす困難な側面であった。標準的な充填技術は特にいくらかの最適化後に、ＬＥＥ０１１粉末に関連するそうした固有の困難に対処することができた（数百万個のカプセルユニットが無事に充填された）が、音波充填技術は、特に、ＭＰＳパラメータが特に高いと測定されたときには、粉末トラフ内における粉末の蓄積のせいで、重要な、プロセス停止時間及び部品の破損の発現を示した。「８パラメータモデル」は、ＭＰＳ及びＷＦが同時に高い粉末の音波充填を選択しないように忠告することができた。とはいえ、１つの例（６．）ではこれらの値にもかかわらず充填することができた。
【０１４８】
実施例２
大きなバッチの製造に適した特定スループットでの未希釈原薬の充填は、業界では一般に確立されていない。ＡＰＩ  ＬＸＳ１９６では、粒子特性と充填プロセスが一体的に開発されている。記載する方法は、臨床供給用のＬＸＳ１９６カプセルを６時間以内に４０，０００カプセルを超えるスループットで製造することを可能とした。生産したカプセルの総数のうち良好なカプセルの割合は９８．８％であった。簡略化された製造プロセスが、未希釈原薬の篩分及び被包（静電容量センサによる１００％重量制御、除塵及び金属検査を含む）を実施するだけで実現された。同様に、最大４００ｍｇの用量がカプセルサイズ０に充填された。更に、インハウスで開発した高用量技術（タッピング機構）を適用することで、自動式ドラム充填設備で４５０ｍｇを超える用量が被包された。
【０１４９】
実施例３
１ミリグラム未満の量のＡＰＩを含む粉末の供給は、カプセル充填の最先端である。困難を克服するために、生薬開発において、低用量製剤の標準的なプロセスは、ＡＰＩがサーバル（ｓｅｒｖａｌ）混合工程以内で賦形剤と混合され、希釈され、これにより、数ミリグラムの希釈されたブレンドの、カプセルへの最終供給を可能にすると説明している。最低数ミリグラム以上から始まるカプセル充填で典型的に用いられる質量検査用の静電容量センサを備える機械にも同じことが当てはまる。
【０１５０】
本明細書中に記載される方法は、１ミリグラム未満の範囲で初めて導入される、１００％含量均一性検査に対応する１００％充填質量確認のプロセス分析技術を使用して、０．５及び０．２５ｍｇなどの非常に低用量の精密カプセル充填に適した最適な物性を有する１％未満の添加剤（＞９９％のＡＰＩ）を含むＦＴＹ７２０の未希釈ＡＰＩを加工することを可能にする。更に、本開示の方法は、いくつかの工程段階（即ち、ブレンドを段階的に希釈するためのいくつかの篩分−混合通路）が用いられる現在市販されている製剤と比較して非常に簡単なプロセスを提示する。
【０１５１】
最終医薬品はまた、２つの成分（二酸化ケイ素及びゼラチン）のみが原薬と直接接触するため、対応する市販の製剤よりも長期の保管寿命を示した。
【０１５２】
実施例４
ＮＢＵ９２８は、結晶化プロセスが困難なフマル酸塩である。得られる粒子は、細長いアスペクト比を典型的には有し、結晶は長さ最大４００μｍの短冊状であり、強い凝集傾向を有する。このような種類の結晶形状は、得られる粉末を任意のカプセル充填設備で直接加工できないバルクにする。したがって、このＡＰＩ粉末には粒子エンジニアリング処理を施し、結晶のショット辺（ｓｈｏｔ  ｓｉｄｅ）を選択的に成長させ、次いで、ピンミル設備により粉砕して、非常に規則的な破片を得、より安定なアスペクト比を持ち、凝集がなく、平均直径（Ｘ５０）が約２５μｍのより小さな粒子をもたらした。新たに粉砕されたＡＰＩ粉末（ロット番号ＮＢＵ９２８−ｍｅｔｚｇｃｈ４−００１−０３）のレオロジー的特性は、標準的なＰＤＰ充填技術での困難な加工性を示唆する（バルク通気レベルの特定の不安定性による、スターラのせん断力の作用下でのホッパー内における粉末のブリッジングが予想される）が、音波充填機真空ドラム設備における完璧な加工性を示唆する。実際、非常に良好なカプセル充填性能が５〜５０ｍｇの要求用量範囲において得られた。
【０１５３】
実施例５
ＣＤＺ１７３はモノリン酸塩化合物である。ＣＤＺ１７３は、アスペクト比１０超、凝集／融合した棒状の結晶、非常に低いかさ密度（常に０．２ｇ／ｍＬ未満、頻繁に０．１２ｇ／ｍＬ未満）を有する針状の結晶を特徴とする。ＣＤＺ１７３は、ここでは、２つの異なる種類（粉砕及び非粉砕）で報告される。ライン６は、その特性は本発明者のモデルのパラメータ外ではあった（判定基準の４／８が満たされていた）ものの（非常に低い速度／スループットで）充填することができる境界線であり、その一方、ライン７の材料は、結晶化における重要な変化が追求されない限り（ここでは記載されない）、本開示の加工方法では充填することができなかった。
【図１】
2020535880.tif 000006
【図２】
2020535880.tif 000007
【図３】
2020535880.tif 000008
【図４】
2020535880.tif 000009
【図５】
2020535880.tif 000010
【図６】
2020535880.tif 000011
【国際調査報告】
2020535880.tif 000012
2020535880.tif 000013
2020535880.tif 000014